(57)【要約】【課題】ピクセルのパラメータとして共通パラメータを用いている複数の画像情報を、簡単に、画像表示精度の低下を抑制しながら重ね合わせることができる技術を提供する。【解決手段】共通パラメータ−個別パラメータ変換手段２０ｂは、重ね合わせる画像情報を画像情報データベース２２ａから読み出す。そして、読み出した画像情報の、複数のピクセルで共通な共通パラメータを、各ピクセルに個別な個別パラメータに変換する。画像情報重ね合わせ手段２０ｃは、共通パラメータが個別パラメータに変換された画像情報を重ね合わせて合成画像情報を取得する。個別パラメータ−共通パラメータ変換手段２０ｄは、合成画像情報の各ピクセルに個別な個別パラメータを、複数のピクセルに共通な共通パラメータに変換する。【選択図】図１
2007101664.tif 000002
【特許請求の範囲】
【請求項１】
色を表す複数のパラメータを有する複数のピクセルにより構成されており、隣接する複数のピクセルによりグループが形成され、グループ内の各ピクセルの複数のパラメータのうちの少なくとも一つのパラメータは、グループ内の各ピクセルに共通な共通パラメータである、少なくとも第一及び第二の画像情報を重ね合わせる画像情報重ね合わせ方法であって、
前記第一及び第二の画像情報の、少なくとも、当該第一及び第二の画像情報を重ね合わせた時に当該第一及び第二の画像情報の境界部が位置するピクセルを含むグループ内の各ピクセルに共通な共通パラメータを、当該グループに隣接するグループ内の各ピクセルに共通な共通パラメータを用いて当該グループ内の各ピクセルに個別な個別パラメータに変換し、
共通パラメータを個別パラメータに変換した前記第一及び第二の画像情報を重ね合わせ、
前記重ね合わせた画像情報の、少なくとも、前記第一及び第二の画像情報の境界部が位置するピクセルを含むグループ内の各ピクセルの複数のパラメータのうちの前記少なくとも一つのパラメータを、当該グループ内の各ピクセルに共通な共通パラメータに変換する、
ことを特徴とする画像情報重ね合わせ方法。
【請求項２】
請求項１に記載の画像情報重ね合わせ方法であって、
前記第一及び第二の画像情報の、少なくとも、当該第一及び第二の画像情報が重ね合わされる重ね合わせ部が位置するピクセルを含むグループ内の各ピクセルに共通な共通パラメータを、当該グループに隣接するグループ内の各ピクセルに共通な共通パラメータを用いて当該グループ内の各ピクセルに個別な個別パラメータに変換し、
前記重ね合わせた画像情報の、少なくとも、前記第一及び第二の画像情報の重ね合わせ部が位置するピクセルを含むグループ内の各ピクセルの複数のパラメータのうちの前記少なくとも一つのパラメータを、当該グループ内の各ピクセルに共通な共通パラメータに変換する、
ことを特徴とする画像情報重ね合わせ方法。
【請求項３】
請求項１に記載の画像情報重ね合わせ方法であって、
前記第一及び第二の画像情報の各グループ内の各ピクセルに共通な共通パラメータを、各グループに隣接するグループ内の各ピクセルに共通な共通パラメータを用いて各グループ内の各ピクセルに個別な個別パラメータに変換し、
前記重ね合わせた画像情報の各グループ内の各ピクセルの複数のパラメータのうちの前記少なくとも一つのパラメータを、各グループ内の各ピクセルに共通な共通パラメータに変換する、
ことを特徴とする画像情報重ね合わせ方法。
【請求項４】
色を表す複数のパラメータを有する複数のピクセルにより構成されており、隣接する複数のピクセルによりグループが形成され、グループ内の各ピクセルの複数のパラメータのうちの少なくとも一つのパラメータは、グループ内の各ピクセルに共通な共通パラメータである、少なくとも第一及び第二の画像情報を重ね合わせる画像情報重ね合わせ方法であって、
前記第一の画像情報を、少なくとも、前記第二の画像情報との境界部が位置するピクセルを含むグループ内の各ピクセルに共通な共通パラメータを、当該グループに隣接するグループ内の各ピクセルに共通な共通パラメータを用いて当該グループ内の各ピクセルに個別な個別パラメータに変換した状態で、フレームバッファに展開し、
前記第二の画像情報を、少なくとも、前記第一の画像情報との境界部が位置するピクセルを含むグループ内の各ピクセルに共通な共通パラメータを、当該グループに隣接するグループ内の各ピクセルに共通な共通パラメータを用いて当該グループ内の各ピクセルに個別な個別パラメータに変換した状態で、フレームバッファに展開されている前記第一の画像情報に重ね合わせて展開し、
フレームバッファに、前記第一の画像情報と第二の画像情報が重ね合わせて展開されている画像情報の、少なくとも、前記第一の画像情報と第二の画像情報の境界部が位置するピクセルを含むグループ内の各ピクセルの複数のパラメータのうちの前記少なくとも一つのパラメータを、当該グループ内の各ピクセルに共通な共通パラメータに変換する、
ことを特徴とする画像情報重ね合わせ方法。
【請求項５】
色を表す複数のパラメータを有する複数のピクセルにより構成されており、隣接する複数のピクセルによりグループが形成され、グループ内の各ピクセルの複数のパラメータのうちの少なくとも一つのパラメータは、グループ内の各ピクセルに共通な共通パラメータである、少なくとも第一及び第二の画像情報を重ね合わせる画像情報重ね合わせ方法であって、
前記第一の画像情報及び第二の画像情報を、当該第一及び第二の画像情報の、少なくとも、当該第一及び第二の画像情報を重ね合わせた時に当該第一及び第二の画像情報の境界部が位置するピクセルを含むグループ内の各ピクセルに共通な共通パラメータを、当該グループに隣接するグループ内の各ピクセルに共通な共通パラメータを用いて当該グループ内の各ピクセルに個別な個別パラメータに変換した状態で重ねあわせ、重ね合わせた画像情報を、当該画像情報の、少なくとも、前記第一及び第二の画像情報の境界部が位置するピクセルを含むグループ内の各ピクセルの複数のパラメータのうちの前記少なくとも一つのパラメータを、当該グループ内の各ピクセルに共通な共通パラメータに変換した状態でフレームバッファに展開する、
ことを特徴とする画像情報重ね合わせ方法。
【請求項６】
画像情報処理装置と、記憶装置と、表示装置を備える画像情報表示装置であって、
前記記憶装置には、色を表す複数のパラメータを有する複数のピクセルにより構成されており、隣接する複数のピクセルによりグループが形成され、グループ内の各ピクセルの複数のパラメータのうちの少なくとも一つのパラメータは、グループ内の各ピクセルに共通な共通パラメータである、複数の画像情報が記憶されており、
前記画像情報処理装置は、共通パラメータ−個別パラメータ変換手段と、画像情報重ね合わせ手段と、個別パラメータ−共通パラメータ変換手段と、画像情報管理手段を有し、
前記共通パラメータ−個別パラメータ変換手段は、前記記憶装置から、少なくとも第一及び第二の画像情報を読み出し、読み出した第一及び第二の画像情報の、少なくとも、当該第一及び第二の画像情報を重ね合わせた時に当該第一及び第二の画像情報の境界部が位置するピクセルを含むグループ内の各ピクセルに共通な共通パラメータを、当該グループに隣接するグループ内の各ピクセルに共通な共通パラメータを用いて当該グループ内の各ピクセルに個別な個別パラメータに変換し、
前記画像情報重ね合わせ手段は、前記共通パラメータ−個別パラメータ変換手段で、共通パラメータが個別パラメータに変換された前記第一及び第二の画像情報を重ね合わせ、
前記個別パラメータ−共通パラメータ変換手段は、前記画像情報重ね合わせ手段で重ね合わせた画像情報を、当該画像情報の、少なくとも、前記第一及び第二の画像情報の境界部が位置するピクセルを含むグループ内の各ピクセルの複数のパラメータのうちの前記少なくとも一つのパラメータを、当該グループ内の各ピクセルに共通な共通パラメータに変換した状態でフレームバッファに展開し、
前記画像情報管理手段は、前記フレームバッファに展開されている画像情報に基づいて前記表示装置を制御する、
ことを特徴とする画像情報表示装置。
【請求項７】
請求項６に記載の画像情報表示装置であって、
前記共通パラメータ−個別パラメータ変換手段は、重ね合わせ処理指示信号が入力された時に、前記第一及び第二画像情報の少なくとも一方を前記記憶装置から読み出す、
ことを特徴とする画像情報表示装置。
【請求項８】
画像情報処理装置と、入力装置と、表示装置を備え、前記入力装置から、色を表す複数のパラメータを有する複数のピクセルにより構成されており、隣接する複数のピクセルによりグループが形成され、グループ内の各ピクセルの複数のパラメータのうちの少なくとも一つのパラメータは、グループ内の各ピクセルに共通な共通パラメータである画像情報が入力される画像情報表示装置であって、
前記画像情報処理装置は、共通パラメータ−個別パラメータ変換手段と、画像情報重ね合わせ手段と、個別パラメータ−共通パラメータ変換手段と、画像情報管理手段を有し、
前記共通パラメータ−個別パラメータ変換手段は、前記入力装置から入力された第一及び第二の画像情報の、少なくとも、当該第一及び第二の画像情報を重ね合わせた時に当該第一及び第二の画像情報の境界部が位置するピクセルを含むグループ内の各ピクセルに共通な共通パラメータを、当該グループに隣接するグループ内の各ピクセルに共通な共通パラメータを用いて当該グループ内の各ピクセルに個別な個別パラメータに変換し、
前記画像情報重ね合わせ手段は、前記共通パラメータ−個別パラメータ変換手段で、共通パラメータが個別パラメータに変換された前記第一及び第二の画像情報を重ね合わせ、
前記個別パラメータ−共通パラメータ変換手段は、前記画像情報重ね合わせ手段で重ね合わせた画像情報を、当該画像情報の、少なくとも、前記第一及び第二の画像情報の境界部が位置するピクセルを含むグループ内の各ピクセルの複数のパラメータのうちの前記少なくとも一つのパラメータを、当該グループ内の各ピクセルに共通な共通パラメータに変換した状態でフレームバッファに展開し、
前記画像情報管理手段は、前記フレームバッファに展開されている画像情報に基づいて前記表示装置を制御する、
ことを特徴とする画像情報表示装置。
【発明の詳細な説明】
【技術分野】
【０００１】
本発明は、画像情報を重ね合わせる技術及び重ね合わせた画像情報を表示装置に表示する技術に関する。
【背景技術】
【０００２】
液晶表示装置等の表示装置は、色を表す光の三原色であるＲ（赤色）、Ｇ（緑色）、Ｂ（青色）の光を発光する発光手段を複数有している。このような表示装置に画像を表示する場合には、ＲＧＢ信号を有する複数のピクセルにより構成される画像情報を作成してフレームバッファに展開し、フレームバッファに展開された各ピクセルのＲＧＢ信号に基づいて、表示装置の発光手段を駆動制御する。
ここで、ＲＧＢ形式の画像情報は、各ピクセル毎にＲＧＢ信号が必要である。このため、画像情報の情報量が増大し、画像情報を記憶する記憶装置として大容量の記憶装置が必要となり、また、画像情報の伝送負担も大きい。
そこで、画像情報の情報量を低減することができるＹＵＶ方式の画像情報が用いられている。ＹＵＶ方式の画像情報は、各ピクセルにＹ信号（輝度成分）、Ｕ信号（輝度成分と青色成分の差）、Ｖ信号（輝度成分と赤色成分）が含まれている。
ＹＵＶ方式の画像情報としては、種々の方式が用いられているが、ＹＵＶ４２０方式の画像情報が広く用いられている。
ＹＵＶ４２０方式では、水平方向（行方向）及び垂直方向（列方向）に２ピクセルの４ピクセル（＝２×２）を１つのグループとし、グループ内の各ピクセルのＹ信号は、グループ内の各ピクセルに個別な値を用い、グループ内の各ピクセルのＵ信号及びＶ信号は、グループ内の各ピクセルに共通な値を用いている。
なお、画像を表示装置に表示する際には、ＹＵＶ方式の画像情報をＲＧＢ方式の画像情報に変換し、ＲＧＢ方式の画像情報に基づいて表示装置を制御する。（特許文献１参照）
【特許文献１】特開平８−２９５７６号公報
【発明の開示】
【発明が解決しようとする課題】
【０００３】
従来、ＹＵＶ４２０方式の画像情報は、単独で用いられていたが、ＹＵＶ４２０方式の画像情報を複数重ね合わせて表示することに対する要望が高まっている。
しかしながら、ＹＵＶ４２０方式の画像情報は、複数のピクセルを有するグループ内の各ピクセルのＵ信号及びＶ信号として、グループ内の各ピクセルに共通のＵ信号及びＶ信号が用いられている。このため、ＹＵＶ４２０方式の第一の画像情報と第二の画像情報をそのまま重ね合わせた場合、第一の画像情報と第二の画像情報を重ね合わせた合成画像情報の同じグループ内に、異なるＵ信号及びＶ信号を有するピクセルが存在する虞がある。合成画像情報の同じグループ内の各ピクセルのＵ信号及びＶ信号が異なっていると、この合成画像情報を、ＹＵＶ４２０方式に対応する変換方法で変換したＲＧＢ信号に基づいて表示装置を制御した場合、表示装置に表示される画像が急激に変化し、画像表示精度が低下する。この画像の急激な変化は、特に、第一及び第二の画像情報の境界部で発生し易い。
本発明は、このような点に鑑みて創案されたものであり、各ピクセルのパラメータとして複数のピクセルに共通な共通パラメータを有している複数の画像情報を、簡単に、画像表示精度の低下を抑制しながら重ね合わせることができる技術を提供することを目的とする。
【課題を解決するための手段】
【０００４】
本発明の第１発明は、請求項１に記載されたとおりの画像情報重ね合わせ方法である。
本発明では、色を表す複数のパラメータを有する複数のピクセルにより構成されており、隣接する複数のピクセルによりグループが形成され、グループ内の各ピクセルの複数のパラメータのうちの少なくとも一つのパラメータは、グループ内の各ピクセルに共通な共通パラメータである画像情報、すなわち、各ピクセルの複数のパラメータのうちの少なくとも一つのパラメータが複数のピクセルに共通な共通パラメータである画像情報を重ね合わせる際に好適に用いることができる。重ね合わせる画像情報は、適宜記憶装置から読み出したものを用いてもよいし、外部から入力されたものを用いてもよい。
色を表す複数のパラメータとしては、例えば、Ｙ信号、Ｕ信号、Ｖ信号が用いられる。複数のパラメータのうちの少なくとも一つのパラメータが共通パラメータで画像情報としては、例えば、ＹＵＶ４２０方式の画像情報が対応する。ＹＵＶ４２０方式の画像情報では、Ｙ信号が、各ピクセルに個別な個別パラメータとして用いられ、Ｕ信号及びＶ信号が複数のピクセルに共通な共通パラメータとして用いられる。
グループを構成するピクセルの数や配置関係等は、適宜選択可能である。例えば、水平方向及び垂直方向に隣接する２つのピクセルにより、４ピクセル（＝２×２）のグループを構成することができる。
グループ内の各ピクセルに個別な個別パラメータは、同じグループ内の各ピクセルに対して同じ値となることもある。なお、各ピクセルの全てのパラメータが共通パラメータであってもよい。
重ね合わせる画像情報の数は、２以上の種々の数を選択することができる。
また、本発明では、複数の画像情報を重ね合わせた画像情報（合成画像情報）に基づいて表示装置を制御する際に、表示装置に表示される画像が急激に変化するのを防止するために、重ね合わせる画像情報の共通パラメータを個別パラメータに変換する。本発明では、少なくとも、重ね合わせる第一及び第二の画像情報の境界部が位置するピクセルを含むグループ内の各ピクセルに共通な共通パラメータをグループ内の各ピクセルに個別な個別パラメータに変換する。
ここで、「第一及び第二の画像情報の境界部」は、第一の画像情報と第二の画像情報との境界線を意味する。第一の画像情報の上方に第二の画像情報が重ね合わされる（配置される）場合には、上方に配置される第二の画像情報の、第一の画像情報との境界線に隣接するピクセルが、「境界部に位置するピクセル」に対応する。
重ね合わせる画像情報の境界部が位置するピクセルを含むグループ内の各ピクセルに共通な共通パラメータのみを個別パラメータに変換する方法を用いた場合、境界部から離れている箇所に位置するピクセルを含むグループ内の各ピクセルの共通パラメータが異なることがある。例えば、第一の画像情報あるいは第二の画像情報では同じグループに含まれているピクセルが、第一及び第二の画像情報を重ね合わせた合成画像情報では異なるグループに分かれることがある。しかしながら、境界部から離れている箇所の各ピクセルは、本来同じ画像情報のピクセルである。したがって、境界部から離れている箇所のグループ内に異なる共通パラメータを有するピクセルが含まれていても、表示装置に表示される画像が急激に変化する虞は少ない。
グループ内の各ピクセルの共通パラメータを個別パラメータに変換する方法としては、種々の方法を用いることができるが、好適には、当該グループの共通パラメータと、当該グループに隣接するグループの共通パラメータを用い、予め定められている補間式により変換する方法が用いられる。
共通パラメータを個別パラメータに変換した第一及び第二の画像情報を重ね合わせる重ね合わせ態様は、適宜選択することができる。例えば、画像情報の大きさ（サイズ）、重ね合わせ位置、透明度等を適宜選設定することができる。
また、共通パラメータを個別パラメータに変換した第一及び第二の画像情報を重ね合わせた画像情報の個別パラメータを共通パラメータに変換する。本発明では、共通パラメータを個別パラメータに変換した第一及び第二の画像情報を重ね合わせた画像情報の、少なくとも、第一及び第二の画像情報の境界部が位置するピクセルを含むグループ内の各ピクセルの複数のパラメータのうちの、共通パラメータを個別パラメータに変換したパラメータに対して、個別パラメータから共通パラメータへの変換を行う。個別パラメータを共通パラメータに変換する方法としては、種々の方法を用いることができる。例えば、合成画像情報の各グループ内の所定位置のピクセル（例えば、基準ピクセル）の個別パラメータを、当該所定位置のピクセルに隣接するパラメータを用い、所定の変換式により変換する方法を用いることができる。
合成画像情報の、境界部より離れている箇所のグループ内の各ピクセルの共通パラメータは、適宜の方法で決定することができる。例えば、当該グループ内の所定位置のピクセル（例えば、基準ピクセル）の共通パラメータ（第一の画像情報あるいは第二の画像情報の共通パラメータとして設定されていたもの）を用いてもよいし、当該グループ内の所定位置のピクセルの共通パラメータを、当該所定位置に隣接するピクセルの共通パラメータを用い、前記した所定の変換式により変換する方法を用いることもできる。
なお、個別パラメータを共通パラメータに変換した合成画像情報は、典型的には、フレームバッファに展開され、表示装置の各ドットは、このフレームバッファに展開されている合成画像情報の各ピクセルのパラメータに基づいて制御される。この場合、個別パラメータを共通パラメータに変換した合成画像情報がフレームバッファに記憶されていればよいが、フレームバッファ上で第一及び第二の画像情報の共通パラメータを個別パラメータに変換する処理、第一及び第二の画像情報の重ね合わせ処理、合成画像情報の個別パラメータを共通パラメータに変換する処理等を実行してもよい。
【０００５】
本発明の第２発明は、請求項２に記載されたとおりの画像情報重ね合わせ方法である。
本発明では、第一及び第二の画像情報の、少なくとも、第一及び第二の画像情報を重ね合わせた時に当該第一及び第二の画像情報の重ね合わせ部が位置するピクセルを含むグループ内の各ピクセルに共通な共通パラメータを個別パラメータに変換する。
また、重ね合わせた画像情報の、少なくとも、第一及び第二の画像情報の重ね合わせ部が位置するピクセルを含むグループ内の各ピクセルの複数のパラメータのうちの、共通パラメータを個別パラメータに変換したパラメータに対して、個別パラメータから共通パラメータへの変換を行う。
「第一及び第二の画像情報の重ね合わせ部」は、第一の画像情報と第二の画像情報が重なり合っている領域を意味する。
本発明では、第一及び第二の画像情報を、第一及び第二の画像情報の、重ね合わせ部が位置するピクセルを含むグループ内の共通パラメータを個別パラメータに変換した状態で、重ね合わせている。これにより、第一及び第二の画像情報の重ね合わせによる影響を低減することができ、表示装置の表示精度をより高めることができる。
また、合成画像情報の、重ね合わせ部が位置するピクセルを含むグループ内の各ピクセルの、共通パラメータを個別パラメータに変換したパラメータに対して、個別パラメータを共通パラメータに変換している。これにより、合成画像情報を、第一及び第二の画像情報を処理可能な処理装置で処理することができる。
【０００６】
本発明の第３発明は、請求項３に記載されたとおりの画像情報重ね合わせ方法である。
本発明では、第一及び第二の画像情報の各グループ内の各ピクセルに共通な共通パラメータを、各グループ内の各ピクセルに個別な個別パラメータに変換する。
また、重ね合わせた画像情報の各グループ内の各ピクセルの複数のパラメータのうちの、共通パラメータを個別パラメータに変換したパラメータに対して、個別パラメータから共通パラメータへの変換を行う。
本発明では、重ね合わせる複数の画像情報の全ピクセルの共通パラメータを個別パラメータに変換し、また、重ね合わせた画像情報（合成画像情報）の全ピクセルの、共通パラメータを個別パラメータに変換したパラメータに対して、個別パラメータを共通パラメータに変換している。
これにより、表示装置に表示される画像が急激に変化するのをさらに効果的に低減することができる。また、本発明では、境界部あるいは重ね合わせ部が位置するピクセルを検索する処理が不要であるため、パラメータの変換処理が簡単である。
【０００７】
本発明の第４発明は、請求項４に記載されたとおりの画像情報重ね合わせ方法である。
本発明は、第１発明と同様に、隣接する複数のピクセルによりグループが形成され、各グループ内の各ピクセルの複数のパラメータのうちの少なくとも一つのパラメータは、グループ内の各ピクセルに共通な共通パラメータである、少なくとも第一の画像情報と第二の画像情報を重ね合わせる際に好適に用いることができる。重ね合わせる画像情報は、適宜記憶装置から読み出したものを用いてもよいし、外部から入力されたものを用いてもよい。
本発明では、先ず、第一の画像情報を、少なくとも、第二の画像情報との境界部が位置するピクセルを含むグループ内の各ピクセルに共通な共通パラメータを、当該グループ内の各ピクセルに個別な個別パラメータに変換した状態で、フレームバッファに展開する。
共通パラメータを個別パラメータに変換する方法としては、例えば、第１発明と同様の方法を用いることができる。また、第一の画像情報の共通パラメータを個別パラメータに変換しながら第一の画像情報をフレームバッファに展開する方法を用いてもよいし、第一の画像情報をフレームバッファに展開した後に、第一の画像情報の共通パラメータを個別パラメータに変換する方法を用いてもよい。
次に、第二の画像情報を、少なくとも、第一の画像情報との境界部が位置するピクセルを含むグループ内の各ピクセルに共通な共通パラメータを、当該グループ内の各ピクセルに個別な個別パラメータに変換した状態で、フレームバッファに展開されている第一の画像情報に重ね合わせて展開する。
この場合、第二の画像情報の共通パラメータを個別パラメータに変換しながら第二の画像情報を、第一の画像情報に重ね合わせてフレームバッファに展開する方法を用いてもよいし、第二の画像情報を、第一の画像情報に重ね合わせてテフレームバッファに展開した後に、第二の画像情報の共通パラメータを個別パラメータに変換する方法を用いてもよい。第二の画像情報の重ね合わせ方法（例えば、重ね合わせ位置や透明度等）は適宜選択される。
そして、フレームバッファに、共通パラメータが個別パラメータに変換された第一の画像情報と第二の画像情報が重ね合わせて展開されている画像情報（合成画像情報）の、少なくとも、第一の画像情報と第二の画像情報の境界部が位置するピクセルを含むグループ内の各ピクセルの複数のパラメータのうちの、共通パラメータを個別パラメータに変換したパラメータに対して、個別パラメータから共通パラメータへの変換を行っている。
なお、本発明は、第２発明のように、少なくとも、重ね合わせ部が位置するピクセルを含むグループ内の各ピクセルに対して、共通パラメータから個別パラメータの変換や個別パラメータから共通パラメータへの変換を行うもの、あるいは、第３発明のように、各グループ内の各ピクセルに対して、共通パラメータから個別パラメータの変換や個別パラメータから共通パラメータへの変換を行うものを包含する。
本発明では、共通パラメータを個別パラメータに変換した第一の画像情報、共通パラメータを個別パラメータに変換した第一及び第二の画像情報を重ね合わせた画像情報（合成画像情報）、個別パラメータを共通パラメータに変換した画像情報（合成画像情報）をフレームバッファに展開しているため、画像情報の重ね合わせ処理、さらには、表示装置への表示処理を短時間に行うことができる。
【０００８】
本発明の第５発明は、請求項５に記載されたとおりの画像情報重ね合わせ方法である。
本発明は、第１発明と同様に、隣接する複数のピクセルによりグループが形成され、各グループ内の各ピクセルの複数のパラメータのうちの少なくとも一つのパラメータは、グループ内の各ピクセルに共通な共通パラメータである、少なくとも第一の画像情報と第二の画像情報を重ね合わせる際に好適に用いることができる。重ね合わせる画像情報は、適宜記憶装置から読み出したものを用いてもよいし、外部から入力されたものを用いてもよい。
本発明では、第一及び第二の画像情報を、第一及び第二の画像情報の、少なくとも、第一及び第二の画像情報を重ね合わせた時に第一及び第二の画像情報の境界部が位置するピクセルを含むグループ内の各ピクセルに共通な共通パラメータを当該グループ内の各ピクセルに個別な個別パラメータに変換した状態で重ね合わせ、重ね合わせた画像情報を、当該画像情報の、少なくとも、第一及び第二の画像情報の境界部が位置するピクセルを含むグループ内の各ピクセルの複数のパラメータのうちの、共通パラメータを個別パラメータに変換したパラメータに対して、個別パラメータを共通パラメータに変換した状態でフレームバッファに展開する。
本発明は、第２発明のように、少なくとも、重ね合わせ部が位置するピクセルを含むグループ内の各ピクセルに対して、共通パラメータから個別パラメータの変換や個別パラメータから共通パラメータへの変換を行うもの、あるいは、第３発明のように、各グループ内の各ピクセルに対して、共通パラメータから個別パラメータの変換や個別パラメータから共通パラメータへの変換を行うものを包含する。
本発明では、第一及び第二の画像情報を、第一及び第二の画像情報の共通パラメータを個別パラメータに変換する処理、共通パラメータを個別パラメータに変換した第一及び第二の画像情報を重ね合わせる処理、重ね合わせた画像情報（合成画像情報）の個別パラメータを共通パラメータに変換する処理を同時に行いながらフレームバッファに展開しているため、画像情報の重ね合わせ処理、さらには、表示装置への表示処理をより短時間に行うことができる。
【０００９】
本発明の第６発明、請求項６に記載されたとおりの画像情報表示装置である。
本発明は、画像情報処理装置と、記憶装置と、表示装置を備えている。
記憶装置には、隣接する複数のピクセルによりグループが形成され、各グループ内の各ピクセルの複数のパラメータのうちの少なくとも一つのパラメータは、グループ内の各ピクセルに共通な共通パラメータである複数の画像情報が記憶されている。各画像情報は、読み出しを容易にするために、画像情報を示す画像情報識別情報に対応させて記憶装置に記憶するのが好ましい。
画像情報処理装置は、共通パラメータ−個別パラメータ変換手段と、画像情報重ね合わせ手段と、個別パラメータ−共通パラメータ変換手段と、画像情報管理手段を有している。
共通パラメータ−個別パラメータ変換手段は、記憶装置から読み出した第一及び第二の画像情報の、少なくとも、第一及び第二の画像情報を重ね合わせた時に第一及び第二の画像情報の境界部が位置するピクセルを含むグループ内の各ピクセルに共通な共通パラメータを、当該グループ内の各ピクセルに個別な個別パラメータに変換する処理を実行する。共通パラメータ−個別パラメータ変換手段による、第一の画像情報あるいは第二の画像情報の記憶装置からの読み出しは、適宜の時期に実行される。例えば、外部から重ね合わせ指示信号が入力された時あるいは制御プログラムに重ね合わせ指示がプログラムされている時等に実行される。
画像情報重ね合わせ手段は、共通パラメータ−個別パラメータ変換手段で、共通パラメータが個別パラメータに変換された第一及び第二の画像情報を重ね合わせる処理を実行する。
個別パラメータ−共通パラメータ変換手段は、画像情報重ね合わせ手段で重ね合わせた画像情報（合成画像情報）を、当該画像情報の、少なくとも、第一及び第二の画像情報の境界部が位置するピクセルを含むグループ内の各ピクセルの複数のパラメータのうちの、共通パラメータを個別パラメータに変換したパラメータに対して、個別パラメータを共通パラメータに変換する処理を実行した状態でフレームバッファに展開する処理を実行する。
画像情報管理手段は、フレームバッファに展開されている画像情報（個別パラメータが共通パラメータに変換された合成画像情報）に基づいて表示装置を制御する。
個別パラメータを共通パラメータに変換する方法や、共通パラメータを個別パラメータに変換する方法としては、例えば、第１発明と同様の方法を用いることができる。
本発明は、第２発明のように、少なくとも、重ね合わせ部が位置するピクセルを含むグループ内の各ピクセルに対して、共通パラメータから個別パラメータの変換や個別パラメータから共通パラメータへの変換を行うもの、あるいは、第３発明のように、各グループ内の各ピクセルに対して、共通パラメータから個別パラメータの変換や個別パラメータから共通パラメータへの変換を行うものを包含する。
なお、本発明では、個別パラメータを共通パラメータに変換した画像情報がフレームバッファに記憶されていればよいが、フレームバッファ上で第一及び第二の画像情報の共通パラメータを個別パラメータに変換する処理、第一及び第二の画像情報の重ね合わせ処理、合成画像情報の個別パラメータを共通パラメータに変換する処理等を実行してもよい。
本発明を用いることにより、第１発明と同様に、各ピクセルのパラメータとして複数のピクセルに共通な共通パラメータを有している複数の画像情報を、簡単に、画像表示精度の低下を抑制しながら重ね合わせることができる。また、画像情報が記憶装置に記憶されているため、画像情報を指示するのみで、画像情報を重ね合わせた合成画像情報に対応する合成画像を表示装置に表示することができる。
【００１０】
本発明の第７発明では、請求項７に記載されたとおりの画像情報表示装置である。
本発明では、共通パラメータ−個別パラメータ変換手段は、重ね合わせ指示信号が入力された時に、第一及び第二画像情報の少なくとも一方を前記記憶装置から読み出す。
共通パラメータ−個別パラメータ変換手段は、例えば、重ね合わせ指示信号が入力された時に、第一及び第二の画像情報を読み出し、読み出した第一及び第二の画像情報の共通パラメータを個別パラメータに変換する処理を実行する。あるいは、記憶装置から第一の画像情報が読み出され、第一の画像情報に対応する画像が表示装置に表示されている状態で、重ね合わせ指示信号が入力された時に、第二の画像情報を記憶装置から読み出し、読み出した第二の画像情報と先に記憶装置から読み出している第一の画像情報の共通パラメータを個別パラメータに変換する処理を実行する。
なお、重ね合わせ指示信号に対して記憶装置から読み出す画像情報を予め設定しておいてもよいし、記憶装置から読み出す画像情報を示す画像情報識別情報を含む重ね合わせ指示信号を入力するように構成してもよい。
本発明を用いれば、画像情報の重ね合わせ処理を行うタイミングを任意に設定することができる。
【００１１】
本発明の第８発明は、請求項８に記載されたとおりの画像情報表示装置である。
本発明では、画像情報処理装置と、入力装置と、表示装置を備えている。
画像情報処理装置は、共通パラメータ−個別パラメータ変換手段と、画像情報重ね合わせ手段と、個別パラメータ−共通パラメータ変換手段と、画像情報管理手段を有している。
共通パラメータ−個別パラメータ変換手段は、入力装置から入力された第一及び第二の画像情報の、少なくとも、当該第一及び第二の画像情報を重ね合わせた時に当該第一及び第二の画像情報の境界部が位置するピクセルを含むグループ内の各ピクセルに共通な共通パラメータを、当該グループ内の各ピクセルに個別な個別パラメータに変換する処理を実行する。
画像情報重ね合わせ手段は、共通パラメータ−個別パラメータ変換手段で、共通パラメータが個別パラメータに変換された第一及び第二の画像情報を重ね合わせる処理を実行する。
個別パラメータ−共通パラメータ変換手段は、画像情報重ね合わせ手段で重ね合わせた画像情報（合成画像情報）を、当該画像情報の、少なくとも、第一及び第二の画像情報の境界部が位置するピクセルを含むグループ内の各ピクセルの複数のパラメータのうちの、共通パラメータを個別パラメータに変換したパラメータに対して、個別パラメータを共通パラメータに変換した状態でフレームバッファに展開する。
画像情報管理手段は、フレームバッファに展開されている画像情報（個別パラメータが共通パラメータに変換された合成画像情報）に基づいて表示装置を制御する。
本発明は、第２発明のように、少なくとも、重ね合わせ部が位置するピクセルを含むグループ内の各ピクセルに対して、共通パラメータから個別パラメータの変換や個別パラメータから共通パラメータへの変換を行うもの、あるいは、第３発明のように、各グループ内の各ピクセルに対して、共通パラメータから個別パラメータの変換や個別パラメータから共通パラメータへの変換を行うものを包含する。
なお、本発明では、個別パラメータを共通パラメータに変換した画像情報がフレームバッファに記憶されていればよいが、フレームバッファ上で第一及び第二の画像情報の共通パラメータを個別パラメータに変換する処理、第一及び第二の画像情報の重ね合わせ処理、重ね合わせた画像情報（合成画像情報）の個別パラメータを共通パラメータに変換する処理等を実行してもよい。
本発明を用いることにより、第１発明と同様に、各ピクセルのパラメータとして複数のピクセルに共通な共通パラメータを有している複数の画像情報を、簡単に、画像表示精度の低下を抑制しながら重ね合わせることができる。また、画像情報を外部から入力することができるため、所望の画像情報を重ね合わせた合成画像情報に対応する画像を表示装置に表示することができる。
【発明の効果】
【００１２】
請求項１〜５に記載の画像情報重ね合わせ方法及び請求項６〜８に記載の画像情報表示装置を用いれば、グループ内の各ピクセルのパラメータとして共通パラメータを用いている複数の画像情報を、簡単に、画像表示精度の低下を抑制しながら重ね合わせることができる。
【発明を実施するための最良の形態】
【００１３】
液晶表示装置等の表示装置は、光の色を表すための光の三原色であるＲ（赤色）、Ｇ（緑色）、Ｂ（青色）の光を発光可能な複数のドット（画素）によって画像を表示する。このため、画像情報処理装置は、各ドットの発光状態（輝度や彩度）を示すＲＧＢ信号（ＲＧＢパラメータ）を表示装置駆動回路を介して表示装置に出力する。例えば、表示装置のドットに対応する数のピクセルを有するフレームバッファをＲＡＭ等の記憶回路に設け、フレームバッファの各ピクセルにＲＧＢ信号を展開する（書き込む）。そして、フレームバッファの各ピクセルに展開したＲＧＢ信号に基づいて、表示装置の各ドットの発光状態を制御する。
表示装置に表示する画像の画像情報をＲＧＢ信号（ＲＧＢ形式）で管理すると、Ｒ信号、Ｇ信号、Ｂ信号それぞれの情報が表示装置のドット毎に必要となり、情報量が多くなる。情報量が多いと、画像情報を記憶する記憶装置の記憶容量が増大し、また、画像情報を伝送するための処理負担も増大する。
【００１４】
そこで、画像情報の記憶容量や伝送負担を軽減するために、画像情報をＹＵＶ信号（ＹＵＶ形式）で管理する方法が用いられている。Ｙ信号は、輝度成分を表し、Ｕ信号は、青系統の色の色相と彩度（輝度成分と青色成分の差）を表し、Ｖ信号は、赤系統の色の色相と彩度（輝度成分と青色成分の差）を表す。
ＲＧＢ信号は、例えば、以下の式によりＹＵＶ信号に変換される。
Ｙ＝０．２９９×Ｒ＋０．５８７×Ｇ＋０．１１４×Ｂ
Ｕ＝−０．１６８７４×Ｒ−０．３３１２６×Ｇ＋０．５×Ｂ
Ｖ＝０．５×Ｒ−０．４１８６９×Ｇ−０．０８１３１×Ｂ
各ピクセルに個別なＹＵＶ信号を用いた（「ＹＵＶ４４４」方式と呼ばれている）画像情報Ａの一例を図３に示す。なお、以下で説明する画像情報は、簡略化した画像情報を示している。
図３に示す画像情報Ａは、水平方向（行方向）及び垂直方向（列方向）に８×８＝６４個のピクセル（０１，０１）〜（０１，０８）、（０２，０１）〜（０２，０８）、（０３，０１）〜（０３，０８）、（０４，０１）〜（０４，０８）、（０５，０１）〜（０５，０８）、（０６，０１）〜（０６，０８）、（０７，０１）〜（０７，０８）、（０８，０１）〜（０８，０８）により構成されている。そして、各ピクセル（０１，０８）〜（０８，０８）は、個別のＹ信号、Ｕ信号、Ｖ信号を有している。
ＹＵＶ４４４方式の画像情報Ａを表示装置に表示する場合には、ＹＵＶ４４４方式に対応した変換方法を用いて、ＹＵＶ４４４方式の画像情報ＡのＹＵＶ信号をＲＧＢ信号に変換し、変換したＲＧＢ信号をフレームバッファの各ピクセルに展開する（書き込む）。そして、フレームバッファに展開した各ピクセルのＲＧＢ信号に基づいて、表示装置の各ドットの発光状態を制御する。
【００１５】
ここで、「人間の目は明るさの変化には敏感であるが、色の変化には鈍感である」という特性がある。この特性を利用することによって、画像情報の情報量を更に低減することができる。
例えば、水平方向（行方向）及び垂直方向（列方向）に２ピクセルの４ピクセル（＝２×２）を１つのグループとし、グループ内の各ピクセルのＹ信号は、グループ内の各ピクセルに個別な値（各ピクセルの値）を用い、グループ内の各ピクセルのＵ信号及びＶ信号は、グループ内の各ピクセルに共通な値（例えば、Ｕ信号は、最初の行の２ピクセルの一方の値、Ｖ信号は、次の行の２ピクセルの一方の値）を用いることができる（「ＹＵＶ４２０」方式と呼ばれている）。
ＹＵＶ４２０方式の画像情報Ａａの一例を図４に示す。
図４に示す画像情報Ａａは、水平方向（行方向）及び垂直方向（列方向）に８×８＝６４個のピクセル（０１，０１）〜（０８，０８）により構成されている。そして、水平方向及び垂直方向に２ピクセルの４ピクセルによりグループ［Ａ０１］〜［Ａ１６］が形成されている。例えば、ピクセル（０１，０１）、（０１，０２）、（０２，０１）、（０２，０２）の４ピクセルによってグループ［Ａ０１］が形成されている。
また、各グループ内の各ピクセルのＹ信号は、各グループ内の各ピクセルに個別なＹ信号（個別Ｙ信号）が用いられ、Ｕ信号及びＶ信号は、各グループ内の各ピクセルに共通なＵ信号及びＶ信号（共通Ｕ信号及び共通Ｖ信号）が用いられる。例えば、グループ［Ａ０１］内の各ピクセルのＹ信号は、ピクセル（０１，０１）、（０１，０２）、（０２，１）、（０２，０２）それぞれに個別な個別Ｙ信号［Ｙ００１］、［Ｙ００２］、［Ｙ００３］、［Ｙ００４］が用いられ、グループ［Ａ０１］内の各ピクセルのＵ信号及びＶ信号は、ピクセル（０１，０１）、（０１，０２）、（０２，０１）、（０２，０２）に共通な共通Ｕ信号［Ｕａ]及び共通Ｖ信号［Ｖａ］が用いられている。
【００１６】
画像情報Ａａのグループ［Ａ０１］〜［Ａ１６］が本発明の「複数のピクセルにより構成されるグループ」に対応し、Ｙ信号、Ｕ信号及びＶ信号が本発明の「色を表す複数のパラメータ」に対応し、グループ［Ａ０１］〜［Ａ１６］内の各ピクセルに個別な個別Ｙ信号が本発明の「グループ内の各ピクセルに個別な個別パラメータ」に対応し、グループ［Ａ０１］〜［Ａ１６］内の各ピクセルに共通な共通Ｕ信号及びＶ信号が本発明の「グループ内の各ピクセルに共通な共通パラメータ」に対応する。
ＹＵＶ４２０方式では、各ピクセルのＵ信号及びＶ信号として、４ピクセルで１つの共通Ｕ信号及び共通Ｖ信号を用いることができるため、情報量を低減することができる。
ＹＵＶ４２０方式の画像情報Ａａを表示装置に表示する場合には、ＹＵＶ４２０方式に対応した変換方法を用いて、ＹＵＶ４２０方式の画像情報Ａａの各ピクセルのＹＵＶ信号をＲＧＢ信号に変換し、変換したＲＧＢ信号をフレームバッファの各ピクセルに展開する（書き込む）。そして、フレームバッファの各ピクセルに展開したＲＧＢ信号に基づいて、表示装置の各ドットの発光状態を制御する。
または、ＹＵＶ４２０方式の画像情報のＹＵＶ信号をフレームバッファに展開する（書き込む）。そして、表示装置に画像を表示する際には、フレームバッファ上でＹＵＶ４２０方式の画像情報のＹＵＶ信号をＲＧＢ信号に変換する。
【００１７】
従来、ＹＵＶ４２０方式の画像情報は、単独で表示され、重ね合わせて表示されていなかった。
しかしながら、近年、ＹＵＶ４２０方式の複数の画像情報の重ね合わせ表示に対する要望が高まっている。
ここで、ＹＵＶ４２０方式の画像情報は、複数のピクセルによりグループが形成され、グループ内の各ピクセルのＵ信号及びＶ信号として、グループ内の各ピクセルに共通な共通Ｕ信号及び共通Ｖ信号を用いている。このため、ＹＵＶ４２０方式の画像情報を単に重ね合わせると、重ね合わせた後の合成画像情報のグループ内の各ピクセルのＵ信号及びＶ信号が同一でなくなることがある。
いま、図４に示すＹＵＶ４２０方式の画像情報Ａａと図５に示すＹＵＶ４２０方式の画像情報Ｂａを重ね合わせる場合を考える。
図５に示す画像情報Ｂａは、水平方向（行方向）及び垂直方向（列方向）に８×８＝６４個のピクセル（０１，０１）〜（０８，０８）により構成されている。そして、水平方向及び垂直方向に２ピクセルの４ピクセルによりグループ［Ｂ１０１］〜［Ｂ１１６］が形成されている。例えば、ピクセル（０１，０１）、（０１，０２）、（０２，０１）、（０２，０２）の４ピクセルによってグループ［Ｂ１０１］が形成されている。また、各グループ内の各ピクセルのＹ信号は、各グループ内の各ピクセルに個別な個別Ｙ信号が用いられ、Ｕ信号及びＶ信号は、各グループ内の各ピクセルに共通な共通Ｕ信号及び共通Ｖ信号が用いられる。例えば、グループ［Ｂ１０１］内の各ピクセルのＹ信号は、ピクセル（０１，０１）、（０１，０２）、（０２，１）、（０２，０２）に個別な個別Ｙ信号［Ｙ１０１］、［Ｙ１０２］、［Ｙ１０９］、［Ｙ１１０］が用いられ、グループ［Ｂ１０１］内の各ピクセルのＵ信号及びＶ信号は、ピクセル（０１，０１）、（０１，０２）、（０２，０１）、（０２，０２）に共通な共通Ｕ信号［Ｕａａ]及び共通Ｖ信号［Ｖａａ］が用いられている。
【００１８】
図４に示すＹＵＶ４２０方式の画像情報Ａａと図５に示すＹＵＶ４２０方式の画像情報Ｂａを、そのまま重ね合わせた画像情報（合成画像情報）Ｃａを図６に示す。
図６では、画像情報Ａａが下方に、画像情報Ｂａが上方に、画像情報Ｂａのピクセル（０１，０１）〜（０１，０５）、（０２，０１）〜（０２，０５）、（０３，０１）〜（０３，０５）、（０４，０１）〜（０４，０５）、（０５，０１）〜（０５，０５）が画像情報Ａａのピクセル（０４，０４）〜（０４，０８）、（０５，０４）〜（０５，０８）、（０６，０４）〜（０６，０８）、（０７，０４）〜（０７，０８）、（０８，０４）〜（０８，０８）と重ね合わされる重ね合わせ位置で重ね合わされている。また、上方に配置される画像情報Ｂａの透過率が０％（下方に配置された画像情報Ａａが全く見えない）に設定されている。
図６に示すように画像情報Ａａと画像情報Ｂａを重ね合わせた場合、重ね合わせた画像情報（合成画像情報）Ｃａは、画像情報Ａａのピクセル（０１，０１）〜（０１，０８）、（０２，０１）〜（０２，０８）、（０３，０１）〜（０３，０８）、（０４，０１）〜（０４，０３）、（０５，０１）〜（０５，０３）、（０６，０１）〜（０６，０３）、（０７，０１）〜（０７，０３）、（０８，０１）〜（０８，０２）と、画像情報Ｂａのピクセル（０１，０１）〜（０１，０５）、（０２，０１）〜（０２，０５）、（０３，０１）〜（０３，０５）、（０４，０１）〜（０４，０５）、（０５，０１）〜（０５，０５）により構成される。
ここで、合成画像情報Ｃａのグループ［Ｃ０１］〜［Ｃ０４］、［Ｃ０５］、［Ｃ０９］、［Ｃ１３］内の各ピクセルのＵ信号及びＶ信号は同一である（元の画像情報ＡａのＵ信号及びＶ信号のままである）が、グループ［Ｃ０６］〜［Ｃ０８］、［Ｃ１０］〜［Ｃ１２］、［Ｃ１４］〜［Ｃ１６］内の各ピクセルのＵ信号及びＶ信号は異なっている。
このような合成画像情報Ｃａに基づいて、ＹＵＶ４２０方式に対応する変換方法を用いてＹＵＶ信号をＲＧＢ信号に変換し、変換したＲＧＢ信号に基づいて表示装置を制御すると、表示装置に表示される画像が急激に変化し、画像表示精度が低下する。特に、画像情報Ａａと画像情報Ｂａの境界部が位置するピクセルを含むグループ（グループ［Ｃ０６］〜［Ｃ０８］、［Ｃ１０］、［Ｃ１４］）で画像が急激に変化し易い。
【００１９】
本発明では、このような、隣接する複数のピクセルによってグループが形成され、グループ内の各ピクセルの複数のパラメータ（例えば、Ｙ信号、Ｕ信号やＶ信号等）のうちの少なくとも一つのパラメータ（例えば、Ｕ信号やＶ信号）が共通のパラメータとして設定されている複数の画像情報（例えば、二つの画像情報）を重ね合わせた合成画像情報に対応する合成画像の急激な変化を抑制しながら重ね合わせることができる技術を提供する。
【００２０】
以下に、本発明の実施の形態を、図面を参照して説明する。
本発明の画像情報表示装置の一実施の形態の概略構成図を図１に示す。図１に示す実施の形態は、記憶装置に予め記憶されている画像情報を、表示制御プログラム等に基づいて読み出し、読み出した画像情報を重ね合わせるものである。
本実施の形態の画像情報表示装置は、表示制御装置１０、記憶装置１１、画像情報処理装置２０、記憶装置２１、表示装置３０等により構成されている。
表示制御装置１０は、画像情報表示装置全体の動作を制御する。記憶装置１１には、表示制御プログラム等が記憶されている。表示制御装置１０は、入力信号あるいは記憶装置２１に記憶されている表示制御プログラムに基づいて、重ね合わせる画像を示す画像識別情報、重ね合わせ態様（重ね合わせる画像の大きさ、重ね合わせ位置、透明度等）を含む重ね合わせ指示信号を画像情報処理装置２０に出力する。
【００２１】
画像情報処理装置２０は、画像情報管理手段２０ａ、共通パラメータ−個別パラメータ変換手段２０ｂ、画像情報重ね合わせ手段２０ｃ、個別パラメータ−共通パラメータ変換手段２０ｄを有している。画像情報処理装置２０としては、例えば、ＶＳＰ(Video  Display  Processor)を用いることができる。
画像情報処理手段２０ａは、画像情報処理装置２０全体の動作を管理するものであり、画像情報識別情報で示される画像情報を記憶装置２１から読み出す処理や、記憶装置２１への画像情報の書き込み処理、表示装置３０への表示制御信号の出力処理等を実行する。
共通パラメータ−個別パラメータ変換手段２０ｂは、重ね合わせる画像情報の共通パラメータを個別パラメータに変換する処理を実行する。例えば、ＹＵＶ４２０方式の画像情報の各グループ内の各ピクセルに共通なＵ信号及びＶ信号（共通Ｕ信号及び共通Ｖ信号）を、各グループに隣接する他のグループ内の各ピクセルに共通なＵ信号及びＶ信号（共通Ｕ信号及び共通Ｖ信号）を用いて、補間式により、各グループ内の各ピクセルに個別なＵ信号及びＶ信号（個別Ｕ信号及び個別Ｖ信号）に変換する。
画像情報重ね合わせ手段２０ｂは、共通パラメータ−個別パラメータ変換手段２０ｂで共通パラメータ（共通Ｕ信号及び共通Ｖ信号）が個別パラメータ（個別Ｕ信号及び個別Ｖ信号）に変換された画像情報を、表示制御装置１０により指示された重ね合わせ態様で重ね合わせる重ね合わせ処理を実行する。重ね合わせた画像情報は、例えば、フレームバッファに展開され（書き込まれ）、記憶装置２１のＲＡＭ２３に記憶される。
個別パラメータ−共通パラメータ変換手段２０ｄは、画像情報重ね合わせ手段２０ｂで重ね合わされた画像情報（合成画像情報）を、複数のピクセルを有するグループに分け、各グループ内の各ピクセルに個別な個別パラメータ（個別Ｕ信号及び個別Ｖ信号）を、各グループ内の各ピクセルに共通な共通パラメータ（共通Ｕ信号及び共通Ｖ信号）に変換する。例えば、各グループ内の所定位置のピクセル（基準ピクセル）の個別パラメータ（個別Ｕ信号及び個別Ｖ信号）を、当該所定位置のピクセルに隣接するピクセルの個別パラメータ（個別Ｕ信号及び個別Ｖ信号）を用いて、変換式により、各グループ内の各ピクセルに共通な共通パラメータ（共通Ｕ信号及び共通Ｖ信号）に変換する。個別パラメータが共通パラメータに変換された画像情報（合成画像情報）は、フレームバッファに展開され、例えば、記憶装置２１のＲＡＭ２３内に記憶される。
なお、図１では、記憶装置２１からの画像情報識別情報で示される画像情報の読み出し処理、記憶装置２１への画像情報の書込処理、表示装置３０の制御処理を実行する画像情報管理手段２０ａを設けたが、画像情報管理手段２０ａが実行する処理を他の手段２０ｂ〜２０ｄが実行するように構成することもできる。各手段２０ｂ〜２０ｄが直接記憶装置２１から画像情報を読み出す処理、記憶装置２１へ画像情報を書き込む処理、表示装置３０に画像情報を表示させる処理を実行する態様と、画像情報管理手段２０ａにより間接的に実行する態様は、同じ概念に含まれる。
なお、共通パラメータ−個別パラメータ変換手段２０ｂ、画像情報重ね合わせ手段２０ｃ、個別パラメータ−共通パラメータ変換手段２０ｄの処理を、フレームバッファを用いて実行することもできる。フレームバッファを用いて処理を実行することにより、画像情報の重ね合わせを簡単に、短時間で行うことができる。
【００２２】
記憶装置２１は、ＲＯＭ２２とＲＡＭ２３を有している。
ＲＯＭ２２には、画像情報処理装置２０の各手段の制御プログラム等が記憶されている。また、ＲＯＭ２２の画像情報データベース２２ａには、ＹＵＶ４２０形式の画像情報が、画像情報を示す画像情報識別情報に対応させて記憶されている。
ＲＡＭ２３には、画像情報処理装置２０の各手段の作業情報や処理結果等が記憶される。例えば、表示装置３０のドットに対応するピクセルを有し、画像情報が展開されるフレームバッファが設けられている。
【００２３】
次に、本実施の形態の画像情報処理装置２０の画像情報重ね合わせ処理の動作を、図２に示すフローチャートにより説明する。
図２に示す画像情報重ね合わせ処理は、例えば、表示制御装置１０から出力された重ね合わせ指示信号が画像情報処理装置２０に入力されたことにより開始される。なお、図２に示す画像情報重ね合わせ処理の開始条件は、これに限定されない。
ステップＳ１では、重ね合わせ指示信号に含まれている画像情報識別情報で示される画像情報を記憶装置２１のＲＯＭ２２の画像情報データベース２２ａから読み出す。そして、読み出した画像情報の各グループ内の各ピクセルに共通な共通パラメータ（共通Ｕ信号及び共通Ｖ信号）を、各グループ内の各ピクセルに個別な個別パラメータ（個別Ｕ信号及び個別Ｖ信号）に変換する。本実施の形態では、各グループ内の各ピクセルに共通な共通パラメータと各グループに隣接する他のグループ内の各ピクセルに共通な共通パラメータを用いて、補間式により、各グループ内の各ピクセルに共通な共通パラメータを各グループ内の各ピクセルに個別な個別パラメータに変換している。
例えば、第一の画像情報と第二の画像情報の二つの画像情報を、第一の画像情報が下方に配置されるように重ね合わせる場合、まず、第一の画像情報を記憶装置２１のＲＯＭ２２の画像情報データベース２２ａから読み出す。そして、読み出した第一の画像情報の各グループ内の各ピクセルに共通なＵ信号及びＶ信号を、各グループに隣接する他のグループ内の各ピクセルに共通なＵ信号及びＶ信号を用いて、補間式により、各グループ内の各ピクセルに個別なＵ信号、Ｖ信号に変換する。次に、第二の画像情報を記憶装置２１のＲＯＭ２２の画像情報データベース２２ａから読み出す。そして、第一の画像情報と同様の方法を用いて、各グループ内の各ピクセルに共通なＵ信号及びＶ信号を、各グループに隣接する他のグループ内の各ピクセルに共通なＵ信号及びＶ信号を用いて、補間式により、各グループ内の各ピクセルに個別なＵ信号、Ｖ信号に変換する。
【００２４】
ステップＳ２では、ステップＳ１で共有パラメータを個別パラメータに変換した画像情報を重ね合わせる。例えば、共有パラメータが個別パラメータに変換された第一の画像情報と第二の画像情報を、表示制御装置１０から指示された重ね合わせ態様で重ね合わせる。
この時、重ね合わせた画像情報（合成画像情報）をフレームバッファに展開してもよい。
なお、先ず、共通パラメータを個別パラメータに変換した状態で第一の画像情報をフレームバッファに展開し、その後、共通パラメータを個別パラメータに変換した状態で第二の画像情報を、フレームバッファに展開されている第一の画像情報に重ね合わせて展開する方法を用いることができる。この場合には、ステップＳ１とＳ２の処理が同時に実行される。
【００２５】
ステップＳ３では、ステップＳ２で重ね合わせた画像情報（合成画像情報）を、複数のピクセルを有するグループに分け、各グループ内の各ピクセルの複数のパラメータのうちの、ステップＳ１で共通パラメータを個別パラメータに変換したパラメータに対して、個別パラメータを共通パラメータに変換する処理を実行する。個別パラメータを共通パラメータに変換した画像情報（合成画像情報）は、フレームバッファに展開される。
ステップＳ４では、個別パラメータを共通パラメータに変換した画像情報（合成画像情報）を用いて、合成画像を表示装置３０に表示する。例えば、記憶装置２１のＲＡＭ２３のフレームバッファ上に展開されている画像情報の各ピクセルのパラメータ（例えば、各ピクセルに個別なＹ信号、各グループ内の各ピクセルに共通なＵ信号及びＶ信号）をＲＧＢ信号に変換し、変換したＲＧＢ信号に基づいて、表示装置の各ドットの発光状態を制御する。
【００２６】
次に、本実施の形態の画像情報重ね合わせ処理の動作を、具体的に説明する。
以下では、ＹＵＶ４２０方式の画像情報Ａａ及び画像情報Ｂａの各グループ内の各ピクセルに共通なＵ信号及びＶ信号（共通Ｕ信号及び共通Ｖ信号）を各グループ内の各ピクセルに個別なＵ信号及びＶ信号（個別Ｕ信号及び個別Ｖ信号）に変換し（ＹＵＶ４４４方式に変換し）て重ね合わせ、また、重ね合わせた画像情報（ＹＵＶ４４４方式の合成画像情報）を複数のグループに分け、各グループ内の各ピクセルに個別なＵ信号及びＶ信号（個別Ｕ信号及び個別Ｖ信号）を各グループ内の各ピクセルに共通なＵ信号及びＶ信号（共通Ｕ信号及び共通Ｖ信号）に変換する（ＹＵＶ４２０方式の画像情報に変換する）場合について説明する。
先ず、ＹＵＶ４２０方式の画像情報Ａａ及び画像情報Ｂａを記憶装置２１の画像情報データベース２２ａから読み出し、ＹＵＶ４４４方式の画像情報Ａｂ及び画像情報Ｂｂに変換する。本実施の形態では、ＹＵＶ４２０方式の画像情報Ａａ及び画像情報Ｂａの各グループ内の各ピクセルに共通なＵ信号及びＶ信号（共通Ｕ信号及び共通Ｖ信号）を、各グループに隣接する他のグループ内の各ピクセルに共通なＵ信号及びＶ信号を用い、補間式により、ＹＵＶ４４４方式の画像情報Ａｂ及び画像情報Ｂｂの各グループ内の各ピクセルに個別なＵ信号及びＶ信号（個別Ｕ信号及び個別Ｖ信号）に変換する。
ＹＵＶ４２０方式の画像情報Ａａの各グループ内の各ピクセルに共通なＵ信号及びＶ信号を、本実施の形態の補間方法を用いて各グループ内の各ピクセルに個別なＵ信号及びＶ信号に変換したＹＵＶ４４４方式の画像情報Ａｂを図７に示す。
ＹＵＶ４２０方式の画像情報Ａａの各ピクセルのＹ信号は、各ピクセルに個別なＹ信号である。このため、ＹＵＶ４２０方式のＹ信号は、ＹＵＶ４４４方式のＹ信号としてそのまま用いることができる。
【００２７】
ＹＵＶ４２０方式の画像情報Ａａの各グループ内の各ピクセルに共通なＵ信号及びＶ信号を、ＹＵＶ４４４方式の画像情報Ａｂの同一グループ内の各ピクセルに個別なＹ信号及びＵ信号に変換する方法は同じであるため、ＹＵＶ４２０方式の画像情報Ａａのグループ［Ａ０１］内の各ピクセルに共通なＵ信号及びＶ信号を、ＹＵＶ４４４方式の画像情報Ａｂのグループ［Ａ０１］内の各ピクセルに個別なＵ信号及びＶ信号に変換する方法について説明する。
ＹＵＶ４４４方式の画像情報Ａｂのグループ［Ａ０１］内の基準ピクセル（本実施の形態では、左上に配置されているピクセル（０１，０１））に個別なＵ信号［Ｕａ］及びＶ信号［Ｖａ］は、ＹＵＶ４２０方式の画像情報Ａａのグループ［Ａ０１］内の各ピクセルに共通なＵ信号［Ｕａ］及びＶ信号［Ｖａ］と同じ値を用いる。
画像情報Ａｂのグループ［Ａ０１］内の、基準ピクセル（０１，０１）より右方向（行方向）に配置されているピクセル（０１，０２）に個別なＵ信号［Ｕａ０２］及びＶ信号［Ｖａ０２］は、画像情報Ａａのグループ［Ａ０１］内の各ピクセルに共通なＵ信号［Ｕａ］及びＶ信号［Ｖａ］と、グループ［Ａ０１］より右方向（行方向）に配置されているグループ［Ａ０２］内の各ピクセルに共通なＵ信号［Ｕｂ］及びＶ信号［Ｖｂ］を用い、以下の式（１）で表される補間式により算出する。
Ｕａ０２＝（Ｕａ＋Ｕｂ）／２
Ｖａ０２＝（Ｖａ＋Ｖｂ）／２                          式（１）
画像情報Ａｂのグループ［Ａ０１］内の、基準ピクセル（０１，０１）より下方向（列方向）に配置されているピクセル（０２，０１）に個別なＵ信号［Ｕａ０９］及びＶ信号［Ｖａ０９］は、画像情報Ａａのグループ［Ａ０１］内の各ピクセルに共通なＵ信号［Ｕａ］及びＶ信号［Ｖａ］と、グループ［Ａ０１］より下方向（列方向）に配置されているグループ［Ａ０５］内の各ピクセルに共通なＵ信号［Ｕｅ］及びＶ信号［Ｖｅ］を用い、以下の式（２）で表される補間式により算出する。
Ｕａ０９＝（Ｕａ＋Ｕｅ）／２
Ｖａ０９＝（Ｖａ＋Ｖｅ）／２                          式（２）
画像情報Ａｂのグループ［Ａ０１］内の、基準ピクセル（０１，０１）より右下方向に配置されているピクセル（０２，０２）に個別なＵ信号［Ｕａ１０］及びＶ信号［Ｖａ１０］は、画像情報Ａａのグループ［Ａ０１］内の各ピクセルに共通なＵ信号［Ｕａ］及びＶ信号［Ｖａ］と、グループ［Ａ０１］より右方向に配置されているグループ［Ａ０２］内の各ピクセルに共通なＵ信号［Ｕｂ］及びＶ信号［Ｖｂ］と、グループ［Ａ０１］より下方向に配置されているグループ［Ａ０５］内の各ピクセルに共通なＵ信号［Ｕｅ］及びＶ信号［Ｖｅ］と、グループ［Ａ０１］より右下方向に配置されているグループ［Ａ０６］内の各ピクセルに共通なＵ信号［Ｕｆ］及びＶ信号［Ｖｆ］を用い、以下の式（３）で表される補間式により算出する。
Ｕａ１０＝［（Ｕａ＋Ｕｂ）／２＋（Ｕｅ＋Ｕｆ）／２］／２
Ｖａ１０＝［（Ｖａ＋Ｖｂ）／２＋（Ｖｅ＋Ｖｆ）／２］／２
式（３）
【００２８】
画像情報Ａｂのグループ［Ａ０２］の基準ピクセル（０１，０３）に個別なＵ信号［Ｕｂ］及びＶ信号［Ｖｂ］は、画像情報Ａａのグループ［Ａ０２］内の各ピクセルに共通なＵ信号［Ｕｂ］及びＶ信号［Ｖｂ］と同じ値が用いられる。
画像情報Ａｂのグループ［Ａ０２］内の、基準ピクセル（０１，０３）より右方向（行方向）に配置されているピクセル（０１，０４）に個別なＵ信号［Ｕｂ０４］及びＶ信号［Ｖｂ０４］は、画像情報Ａａのグループ［Ａ０２］内の各ピクセルに共通なＵ信号［Ｕｂ］及びＶ信号［Ｖｂ］と、グループ［Ａ０２］より右方向（行方向）に配置されているグループ［Ａ０３］内の各ピクセルに共通なＵ信号［Ｕｃ］及びＶ信号［Ｖｃ］を用い、式（１）と同様の式（４）で表される補間式により算出する。
Ｕｂ０４＝（Ｕｂ＋Ｕｃ）／２
Ｖｂ０４＝（Ｖｂ＋Ｖｃ）／２                          式（４）
画像情報Ａｂのグループ［Ａ０２］内の、基準ピクセル（０１，０３）より下方向（列方向）に配置されているピクセル（０２，０３）に個別なＵ信号［Ｕｂ１１］及びＶ信号［Ｖｂ１１］は、画像情報Ａａのグループ［Ａ０２］内の各ピクセルに共通なＵ信号［Ｕｂ］及びＶ信号［Ｖｂ］と、グループ［Ａ０２］より下方向（列方向）に配置されているグループ［Ａ０６］内の各ピクセルに共通なＵ信号［Ｕｆ］及びＶ信号［Ｖｆ］を用い、式（２）と同様の式（５）で表される補間式により算出する。
Ｕｂ１１＝（Ｕｂ＋Ｕｆ）／２
Ｖｂ１１＝（Ｖｂ＋Ｖｆ）／２                          式（５）
画像情報Ａｂのグループ［Ａ０２］内の、基準ピクセル（０１，０３）より右下方向に配置されているピクセル（０２，０４）に個別なＵ信号［Ｕｂ１２］及びＶ信号［Ｖｂ１２］は、画像情報Ａａのグループ［Ａ０２］内の各ピクセルに共通なＵ信号［Ｕｂ］及びＶ信号［Ｖｂ］と、グループ［Ａ０２］より右方向に配置されているグループ［Ａ０３］内の各ピクセルに共通なＵ信号［Ｕｃ］及びＶ信号［Ｖｃ］と、グループ［Ａ０２］より下方向に配置されているグループ［Ａ０６］内の各ピクセルに共通なＵ信号［Ｕｆ］及びＶ信号［Ｖｆ］と、グループ［Ａ０２］より右下方向に配置されているグループ［Ａ０７］内の各ピクセルに共通なＵ信号［Ｕｇ］及びＶ信号［Ｖｇ］を用い、式（３）と同様の式（６）で表される補間式により算出する。
Ｕｂ１２＝［（Ｕｂ＋Ｕｃ）／２＋（Ｕｆ＋Ｕｇ）／２］／２
Ｖｂ１２＝［（Ｖｂ＋Ｖｃ）／２＋（Ｖｆ＋Ｖｇ）／２］／２
式（６）
【００２９】
画像情報Ａｂのグループ［Ａ０５］の基準ピクセル（０３，０１）に個別なＵ信号［Ｕｅ］及びＶ信号［Ｖｅ］は、画像情報Ａａのグループ［Ａ０５］内の各ピクセルに共通なＵ信号［Ｕｅ］及びＶ信号［Ｖｅ］と同じ値が用いられる。
画像情報Ａｂのグループ［Ａ０５］内の、基準ピクセル（０３，０１）より右方向（行方向）に配置されているピクセル（０３，０２）に個別なＵ信号［Ｕｅ１８］及びＶ信号［Ｖｅ１８］は、画像情報Ａａのグループ［Ａ０５］内の各ピクセルに共通なＵ信号［Ｕｅ］及びＶ信号［Ｖｅ］と、グループ［Ａ０５］より右方向（行方向）に配置されているグループ［Ａ０６］内の各ピクセルに共通なＵ信号［Ｕｆ］及びＶ信号［Ｖｆ］を用い、式（１）と同様の式（７）で表される補間式により算出する。
Ｕｅ１８＝（Ｕｅ＋Ｕｆ）／２
Ｖｅ１８＝（Ｖｅ＋Ｖｆ）／２                          式（７）
画像情報Ａｂのグループ［Ａ０５］内の、基準ピクセル（０３，０１）より下方向（列方向）に配置されているピクセル（０４，０１）に個別なＵ信号［Ｕｅ２５］及びＶ信号［Ｖｅ２５］は、画像情報Ａａのグループ［Ａ０５］内の各ピクセルに共通なＵ信号［Ｕｅ］及びＶ信号［Ｖｅ］と、グループ［Ａ０５］より下方向（列方向）に配置されているグループ［Ａ０９］内の各ピクセルに共通なＵ信号［Ｕｉ］及びＶ信号［Ｖｉ］を用い、式（２）と同様の式（８）で表される補間式により算出する。
Ｕｅ２５＝（Ｕｅ＋Ｕｉ）／２
Ｖｅ２５＝（Ｖｅ＋Ｖｉ）／２                          式（８）
画像情報Ａｂのグループ［Ａ０５］内の、基準ピクセル（０３，０１）より右下方向に配置されているピクセル（０４，０２）に個別なＵ信号［Ｕｅ２６］及びＶ信号［Ｖｅ２６］は、画像情報Ａａのグループ［Ａ０５］内の各ピクセルに共通なＵ信号［Ｕｅ］及びＶ信号［Ｖｅ］と、グループ［Ａ０５］より右方向に配置されているグループ［Ａ０６］内の各ピクセルに共通なＵ信号［Ｕｆ］及びＶ信号［Ｖｆ］と、グループ［Ａ０５］より下方向に配置されているグループ［Ａ０９］内の各ピクセルに共通なＵ信号［Ｕｉ］及びＶ信号［Ｖｉ］と、グループ［Ａ０５］より右下方向に配置されているグループ［Ａ１０］内の各ピクセルに共通なＵ信号［Ｕｊ］及びＶ信号［Ｖｊ］を用い、式（３）と同様の式（９）で表される補間式により算出する。
Ｕｅ２６＝［（Ｕｅ＋Ｕｆ）／２＋（Ｕｉ＋Ｕｊ）／２］／２
Ｖｅ２６＝［（Ｖｅ＋Ｖｆ）／２＋（Ｖｉ＋Ｖｊ）／２］／２
式（９）
【００３０】
画像情報Ａｂのグループ［Ａ０６］内の基準ピクセル（０３，０３）に個別なＵ信号［Ｕｆ］及びＶ信号［Ｖｆ］は、画像情報Ａａのグループ［Ａ０９］内の各ピクセルに共通なＵ信号［Ｕｆ］及びＶ信号［Ｖｆ］と同じ値が用いられる。
画像情報Ａｂのグループ［Ａ０６］内の、基準ピクセル（０３，０３）より右方向（行方向）に配置されているピクセル（０３，０４）に個別なＵ信号［Ｕｆ２０］及びＶ信号［Ｖｆ２０］は、画像情報Ａａのグループ［Ａ０６］内の各ピクセルに共通なＵ信号［Ｕｆ］及びＶ信号［Ｖｆ］と、グループ［Ａ０６］より右方向（行方向）に配置されているグループ［Ａ０７］内の各ピクセルに個別なＵ信号［Ｕｇ］及びＶ信号［Ｖｇ］を用い、式（１）と同様の式（１０）で表される補間式により算出する。
Ｕｆ２０＝（Ｕｆ＋Ｕｇ）／２
Ｖｆ２０＝（Ｖｆ＋Ｖｇ）／２                          式（１０）
画像情報Ａｂのグループ［Ａ０６］内の、基準ピクセル（０３，０３）より下方向（行方向）に配置されているピクセル（０４，０３）に個別なＵ信号［Ｕｆ２７］及びＶ信号［Ｖｆ２７］は、画像情報Ａａのグループ［Ａ０６］内の各ピクセルに共通なＵ信号［Ｕｆ］及びＶ信号［Ｖｆ］と、グループ［Ａ０６］より下方向（列方向）に配置されているグループ［Ａ１０］内の各ピクセルに共通なＵ信号［Ｕｊ］及びＶ信号［Ｖｊ］を用い、式（２）と同様の式（１１）で表される補間式により算出する。
Ｕｆ２７＝（Ｕｆ＋Ｕｊ）／２
Ｖｆ２７＝（Ｖｆ＋Ｖｊ）／２                          式（１１）
画像情報Ａｂのグループ［Ａ０６］内の、基準ピクセル（０３，０３）より右下方向に配置されているピクセル（０４，０４）に個別なＵ信号［Ｕｆ２８］及びＶ信号［Ｖｆ２８］は、画像情報Ａａのグループ［Ａ０６］内の各ピクセルに共通なＵ信号［Ｕｆ］及びＶ信号［Ｖｆ］と、グループ［Ａ０６］より右方向に配置されているグループ［Ａ０７］内の各ピクセルに共通なＵ信号［Ｕｇ］及びＶ信号［Ｖｇ］と、グループ［Ａ０６］より下方向に配置されているグループ［Ａ１０］内の各ピクセルに共通なＵ信号［Ｕｊ］及びＶ信号［Ｖｊ］と、グループ［Ａ０６］より右下方向に配置されているグループ［Ａ０７］内の各ピクセルに共通なＵ信号［Ｕｋ］及びＶ信号［Ｖｋ］を用い、式（３）と同様の式（１２）で表される補間式により算出する。
Ｕｆ２８＝［（Ｕｆ＋Ｕｇ）／２＋（Ｕｊ＋Ｕｋ）／２］／２
Ｖｆ２８＝［（Ｖｆ＋Ｖｇ）／２＋（Ｖｊ＋Ｖｋ）／２］／２
式（１２）
【００３１】
以下、同様の補間方法を用いて、画像情報Ａｂの各グループ内の各ピクセルに個別なＵ信号及びＶ信号を、画像情報Ａａの各グループ内の各ピクセルに共通なＵ信号及びＶ信号、各グループに隣接する他のグループ内の各ピクセルに共通なＵ信号及びＶ信号を用いて算出する。
なお、画像情報Ａｂのグループ［Ａ０４］、［Ａ０８］、［Ａ１２］の基準ピクセルより右方向に配置されているピクセル（０１，０８）、（０３，０８）、（０５，０８）のＵ信号［Ｕｄ０８］、［Ｕｈ２４］、［Ｕｌ４０］及びＶ信号［Ｖｄ０８］、［Ｖｈ２４］、［Ｖｌ４０］としては、画像情報Ａａのグループ［Ａ０４］、［Ａ０８］、［Ａ１２］内の各ピクセルに共通なＵ信号［Ｕｄ］、［Ｕｈ］、［Ｕｌ］及びＶ信号［Ｖｄ］、［Ｖｈ］、［Ｖｌ］が用いられる。画像情報Ａｂのグループ［Ａ１３］、［Ａ１３］、［Ａ１５］の基準ピクセルより下方向に配置されているピクセル（０８，０１）、（０８，０３）、（０８，０５）に個別なＵ信号［Ｕｍ５７］、［Ｕｎ５９］、［Ｕｏ６１］及びＶ信号［Ｖｍ５７］、［Ｖｎ５９］、［Ｖｏ６１］としては、画像情報Ａａのグループ［Ａ１３］、［Ａ１４］、［Ａ１５］内の各ピクセルに共通なＵ信号［Ｕｍ］、［Ｕｎ］、［Ｕｏ］及びＶ信号［Ｖｍ］、［Ｖｎ］、［Ｖｏ］が用いられる。画像情報Ａｂのグループ［Ａ１６］の基準ピクセル（０７，０７）の右方向、下方向、右下方向に配置されているピクセル（０７，０８）、（０８，０７）、（０８，０８）に個別なＵ信号［Ｕｐ５６］、［Ｕｐ６３］、［Ｕｐ６４］及びＶ信号［Ｖｐ５６］、［Ｖｐ６３］、［Ｖｐ６４］としては、画像情報Ａａのグループ［Ａ１６］内の各ピクセルに共通なＵ信号［Ｕｐ］及びＶ信号［Ｖｐ］が用いられる。
【００３２】
また、画像情報Ａｂのグループ［Ａ０４］の基準ピクセル（０１，０７）より右下方向に配置されているピクセル（０２，０８）に個別なＵ信号［Ｕｄ１６］及びＶ信号［Ｖｄ１６］は、画像情報Ａａのグループ［Ａ０４］内の各ピクセルに共通なＵ信号［Ｕｄ］及びＶ信号［Ｖｄ］と、グループ［Ａ０４］より下方向に配置されているグループ［Ａ０８］内の各ピクセルに共通なＵ信号［Ｕｈ］及びＶ信号［Ｖｈ］の平均値（（Ｕｄ＋Ｕｈ）／２、（Ｖｄ＋Ｖｈ）／２）が用いられる。同様に、画像情報Ａｂのグループ［Ａ０８］の基準ピクセル（０３，０７）より右下方向に配置されているピクセル（０４，０８）に個別なＵ信号［Ｕｈ３２］及びＶ信号［Ｖｈ３２］は、画像情報Ａａのグループ［Ａ０８］内の各ピクセルに共通なＵ信号［Ｕｈ］及びＶ信号［Ｖｈ］と、グループ［Ａ０８］より下方向に配置されているグループ［Ａ１２］内の各ピクセルに共通なＵ信号［Ｕｌ］及びＶ信号［Ｖｌ］の平均値（（Ｕｈ＋Ｕｌ）／２、（Ｖｈ＋Ｖｌ）／２）が用いられ、画像情報Ａｂのグループ［Ａ１２］の基準ピクセル（０５，０７）より右下方向に配置されているピクセル（０６，０８）に個別なＵ信号［Ｕｌ４８］及びＶ信号［Ｖｌ４８］は、画像情報Ａａのグループ［Ａ１２］内の各ピクセルに共通なＵ信号［Ｕｌ］及びＶ信号［Ｖｌ］と、グループ［Ａ１２］より下方向に配置されているグループ［Ａ１６］内の各ピクセルに共通なＵ信号［Ｕｐ］及びＶ信号［Ｖｐ］の平均値（（Ｕｌ＋Ｕｐ）／２、（Ｖｌ＋Ｖｐ）／２）が用いられ
【００３３】
また、画像情報Ａｂのグループ［Ａ１３］の基準ピクセル（０７，０１）より右下方向に配置されているピクセル（０８，０２）に個別なＵ信号［Ｕｍ５８］及びＶ信号［Ｖｍ５８］は、画像情報Ａａのグループ［Ａ１３］内の各ピクセルに共通なＵ信号［Ｕｍ］及びＶ信号［Ｖｍ］と、グループ［Ａ１３］より右方向に配置されているグループ［Ａ１４］内の各ピクセルに共通なＵ信号［Ｕｎ］及びＶ信号［Ｖｎ］の平均値（（Ｕｍ＋Ｕｎ）／２、（Ｖｍ＋Ｖｎ）／２）が用いられる。同様に、画像情報Ａｂのグループ［Ａ１４］の基準ピクセル（０７，０３）より右下方向に配置されているピクセル（０８，０４）に個別なＵ信号［Ｕｎ６０］及びＶ信号［Ｖｎ６０］は、画像情報Ａａのグループ［Ａ１４］内の各ピクセルに共通なＵ信号［Ｕｎ］及びＶ信号［Ｖｎ］と、グループ［Ａ１４］より右方向に配置されているグループ［Ａ１５］内の各ピクセルに共通なＵ信号［Ｕｏ］及びＶ信号［Ｖｏ］の平均値（（Ｕｎ＋Ｕｏ）／２、（Ｖｎ＋Ｖｏ）／２）が用いられ、画像情報Ａｂのグループ［Ａ１５］の基準ピクセル（０７，０５）より右下方向に配置されているピクセル（０８，０６）に個別なＵ信号［Ｕｏ６２］及びＶ信号［Ｖｏ６２］は、画像情報Ａａのグループ［Ａ１５］内の各ピクセルに共通なＵ信号［Ｕｏ］及びＶ信号［Ｖｏ］と、グループ［Ａ１５］より右方向に配置されているグループ［Ａ１６］内の各ピクセルに共通なＵ信号［Ｕｐ］及びＶ信号［Ｖｐ］の平均値（（Ｕｏ＋Ｕｐ）／２、（Ｖｏ＋Ｖｐ）／２）が用いられ
【００３４】
すなわち、グループ内の基準ピクセルに個別な個別パラメータは、当該グループ内の各ピクセルに共通な共通パラメータが用いられる。
グループ内の基準ピクセルより右方向（あるいは左方向）に配置されているピクセルに個別な個別パラメータは、当該グループ内の各ピクセルに共通な共通パラメータと、当該グループより右方向（あるいは左方向）に配置されているグループ内の各ピクセルに共通な共通パラメータを用い、補間式（例えば、式（１））により算出する。
グループ内の基準ピクセルより下方向（あるいは上方向）に配置されているピクセルに個別な個別パラメータは、当該グループ内の各ピクセルに共通な共通パラメータと、当該グループより下方向８あるいは上方向）に配置されているグループ内の各ピクセルに共通な共通パラメータを用い、補間式（例えば、式（２））により算出する。
グループ内の基準ピクセルより対角線方向（例えば、右下方向）に配置されているピクセルに個別な個別パラメータは、当該グループ内の各ピクセルに共通な共通パラメータと、当該グループより対角線方向（例えば、右下方向）に配置されているグループ内の各ピクセルに共通な共通パラメータと、当該グループより対角線方向の上方向あるいは下方向（例えば、右下方向の下方向）に配置されているグループ内の各ピクセルに共通な共通パラメータと、当該グループより対角線方向の左方向あるいは右方向（例えば、右下方向の右方向）に配置されているグループ内の各ピクセルに共通な共通パラメータと、補間式（例えば、式（３））により算出する。
なお、共通パラメータを、補間により、個別パラメータに変換する方法はこれに限定されない。
【００３５】
次に、ＹＵＶ４２０方式の画像情報Ｂａを、ＹＵＶ４４４方式の画像情報Ｂｂに変換する。
ＹＵＶ４２０方式の画像情報Ｂａの各グループの各ピクセルに共通なＵ信号及びＶ信号を、本実施の形態の補間方法を用いて、各グループの各ピクセルに個別なＵ信号及びＶ信号に変換したＹＵＶ４４４方式の画像情報Ｂｂを図８に示す。
ＹＵＶ４２０方式の画像情報ＢａをＹＵＶ４４４方式の画像情報Ｂｂに変換する方法としては、ＹＵＶ４２０方式の画像情報ＡａをＹＵＶ４４４方式の画像情報Ａｂに変換する方法と同様の方法を用いることができる。
すなわち、ＹＵＶ４４４方式の画像情報Ｂｂの各ピクセルに個別なＹ信号としては、ＹＵＶ４２０方式の画像情報Ｂａの各ピクセルに個別なＹ信号が用いられる。
また、ＹＵＶ４４４方式の画像情報Ｂｂの各グループの基準ピクセルに個別なＵ信号及びＶ信号としては、ＹＵＶ４２０方式の画像情報Ｂａの各グループ内の各ピクセルに共通なＵ信号及びＶ信号が用いられる。
ＹＵＢ４４４方式の画像情報Ｂｂの各グループの基準ピクセルより右方向（行方向）に配置されているピクセルに個別なＵ信号及びＶ信号は、ＹＵＶ４２０方式の画像情報Ｂａの各グループ内の各ピクセルに共通なＵ信号及びＶ信号と、各グループの右方向に配置されているグループ内の各ピクセルに共通なＵ信号及びＶ信号を用い、式（１）と同様の補間式により算出される。
ＹＵＢ４４４方式の画像情報Ｂｂの各グループの基準ピクセルより下方向（列方向）に配置されているピクセルに個別なＵ信号及びＶ信号は、ＹＵＶ４２０方式の画像情報Ｂａの各グループ内の各ピクセルに共通なＵ信号及びＶ信号と、各グループの下方向に配置されているグループ内の各ピクセルに共通なＵ信号及びＶ信号を用い、式（２）と同様の補間式により算出される。
ＹＵＢ４４４方式の画像情報Ｂｂの各グループの基準ピクセルより右下方向に配置されているピクセルに個別なＵ信号及びＶ信号は、ＹＵＶ４２０方式の画像情報Ｂａの各グループ内の各ピクセルに共通なＵ信号及びＶ信号と、各グループの右方向に配置されているグループ内の各ピクセルに共通なＵ信号及びＶ信号と、各グループの下方向に配置されているグループ内の各ピクセルに共通なＵ信号及びＶ信号と、各グループの右下方向に配置されているグループ内の各ピクセルに共通なＵ信号及びＶ信号を用い、式（３）と同様の補間式により算出される。
なお、ＹＵＶ４４４方式の画像情報Ｂｂの右端のピクセル及び下端のピクセルに個別なＵ信号及びＶ信号については、前述したとおりである。
【００３６】
次に、ＹＵＶ４２０方式からＹＵＶ４４４方式に変換された画像情報Ａｂと画像情報Ｂｂを重ね合わせる。
重ね合わせ態様（重ね合わせる画像情報の大きさ、重ね合わせ位置、画像情報の透明度等）は、表示制御装置１０から入力される重ね合わせ指示信号によって指示される。
ＹＵＶ４４４方式に変換された画像情報Ａｂと画像情報Ｂｂを重ね合わせた状態を図９に示す。図９は、画像情報Ａｂが画像情報Ｂｂより下方に配置され、上方に配置される画像情報Ｂｂの透明度が０％（完全不透明）であり、画像情報Ａｂと画像情報Ｂｂの境界部（境界線）が画像情報Ａｂのピクセル（０３，０４）〜（０３，０８）と（０４，０４）〜（０４，０８）の間、（０４，０３）と（０４，０４）の間、（０５，０３）と（０５，０４）の間、（０６，０３）と（０６，０４）の間、（０７，０３）と（０７，０４）の間、（０８，０３）と（０８，０４）の間に位置するように配置されている。
図９に示す、画像情報Ａｂと画像情報Ｂｂを重ね合わせた画像情報（合成画像情報）Ｄｂは、ＹＵＶ４４４方式であり、各ピクセルのＹ信号、Ｕ信号、Ｖ信号は、各ピクセルに個別に設定されている。
【００３７】
次に、ＹＵＶ４４４方式の画像情報Ａｂと画像情報Ｂｂを重ね合わせた、ＹＵＶ４４４方式の画像情報（合成画像情報）ＤｂをＹＵＶ４２０方式の画像情報Ｄａに変換する。
ＹＵＶ４４４方式の画像情報ＤｂをＹＵＶ４２０方式の画像情報Ｄａに変換するには、ＹＵＶ４４４方式の画像情報Ｄｂのピクセルをグループに分け、各グループ内の各ピクセルのＹ信号として、各グループ内の各ピクセルに個別なＹ信号を設定し、各グループ内の各ピクセルのＵ信号及びＶ信号として、各グループ内の各ピクセルに共通なＵ信号及びＶ信号を設定する。
本実施の形態では、ＹＵＶ４２０方式の画像情報Ａａを変換した画像情報Ａｂが画像情報Ｂａを変換した画像情報Ｂｂより下方に配置されているため、画像情報Ｄａのグループ分けは、画像情報Ａａのグループ分けと同じとなる。例えば、グループ［Ｄ０１］には、グループ［Ａ０１］と同じピクセル（０１，１０）、（０１，０２）、（０２，０１）、（０２，０２）が含まれる。
ここで、ＹＵＶ４４４方式の画像情報のＹ信号としては、各ピクセルに個別なＹ信号が用いられている。したがって、ＹＵＶ４４４方式の画像情報Ｄｂの各ピクセルのＹ信号は、そのまま、ＹＵＶ４２０方式の画像情報Ｄａの各ピクセルのＹ信号として用いることができる。
【００３８】
本実施の形態では、ＹＵＶ４４４方式の画像情報Ｄｂの各ピクセルに個別なＵ信号及びＶ信号を、変換式を用いて、ＹＵＶ４２０方式の画像情報Ｄａの各グループの各ピクセルに共通なＵ信号及びＶ信号に変換している。ＹＵＶ４４４方式の画像情報ＤｂをＹＵＶ４２０方式に変換した画像情報Ｄａを図１０に示す。
図１０では、画像情報Ｄａのグループ［Ｄ０１］内の各ピクセルに共通なＵ信号［ＵＡ］及びＶ信号［ＶＡ］は、画像情報Ｄｂのピクセル（０１，０１）（グループ［Ｄ０１］の基準ピクセル）に個別なＵ信号［Ｕａ］及びＶ信号［Ｖａ］と、ピクセル（０１，０１）より下方に配置されているピクセル（０２，０１）に個別なＵ信号［Ｕａ０９］及びＶ信号［Ｖａ０９］を用いて、式（１３）に示す変換式を用いて算出する。
ＵＡ＝（Ｕａ×３＋Ｕａ０９）／４
ＶＡ＝（Ｖａ×３＋Ｖａ０９）／４                      式（１３）
画像情報Ｄａのグループ［Ｄ０５］内の各ピクセルに共通なＵ信号［ＵＥ］及びＶ信号［ＶＥ］は、画像情報Ｄｂのピクセル（０３，０１）（グループ［Ｄ０５］の基準ピクセル）に個別なＵ信号［Ｕｅ］及びＶ信号［Ｖｅ］と、ピクセル（０３，０１）より上方に配置されているピクセル（０２，０１）に個別なＵ信号［Ｕａ０９］及びＶ信号［Ｖａ０９］と、ピクセル（０３，０１）より下方に配置されているピクセル（０４，０１）に個別なＵ信号［Ｕｅ２５］及びＶ信号［Ｖｅ２５］を用いて、式（１４）に示す変換式を用いて算出する。
ＵＥ＝（Ｕｅ×２＋Ｕａ０９＋Ｕｅ２５）／４
ＶＥ＝（Ｖｅ×２＋Ｖａ０９＋Ｖｅ２５）／４                      式（１４）
画像情報Ｄａのグループ［Ｄ０９］内の各ピクセルに共通なＵ信号［ＵＩ］及びＶ信号［ＶＩ］は、画像情報Ｄｂのピクセル（０５，０１）（グループ［Ｄ０９］の基準ピクセル）に個別なＵ信号［Ｕｉ］及びＶ信号［Ｖｉ］と、ピクセル（０５，０１）より上方に配置されているピクセル（０４，０１）に個別なＵ信号［Ｕｅ２５］及びＶ信号［Ｖｅ２５］と、ピクセル（０５，０１）より下方に配置されているピクセル（０６，０１）に個別なＵ信号［Ｕｉ４１］及びＶ信号［Ｖｉ４１］を用いて、式（１５）に示す変換式を用いて算出する。
ＵＩ＝（Ｕｉ×２＋Ｕｅ２５＋Ｕｉ４１）／４
ＶＩ＝（Ｖｉ×２＋Ｖｅ２５＋Ｖｉ４１）／４                      式（１５）
画像情報Ｄａのグループ［Ｄ１３］内の各ピクセルに共通なＵ信号［ＵＭ］及びＶ信号［ＶＭ］は、画像情報Ｄｂのピクセル（０７，０１）（グループ［Ｄ１３］の基準ピクセル）に個別なＵ信号［Ｕｍ］及びＶ信号［Ｖｍ］と、ピクセル（０７，０１）より上方に配置されているピクセル（０６，０１）に個別なＵ信号［Ｕｉ４１］及びＶ信号［Ｖｉ４１］と、ピクセル（０７，０１）より下方に配置されているピクセル（０８，０１）に個別なＵ信号［Ｕｍ５７］及びＶ信号［Ｖｍ５７］を用いて、式（１６）に示す変換式を用いて算出する。
ＵＭ＝（Ｕｍ×２＋Ｕｉ４１＋Ｕｍ５７）／４
ＶＭ＝（Ｖｍ×２＋Ｖｉ４１＋Ｖｍ５７）／４                      式（１５）
以下、同様にして、画像情報Ｄａの各グループの各ピクセルに共通なＵ信号及びＶ信号を算出する。
【００３９】
すなわち、変換後の画像情報Ｄａのグループ内の各ピクセルに共通な共通パラメータは、変換前の画像情報Ｄｂの、変換後の画像情報Ｄａの当該グループ内の基準ピクセル、当該基準ピクセルの上方及び下方に配置されている（基準ピクセルに隣接して配置されている）ピクセルそれぞれに個別な個別パラメータと、変換式（例えば、式（１４））により算出する。
なお、変換後の画像情報Ｄａのグループ内の各ピクセルに共通な共通パラメータを、変換前の画像情報Ｄｂの、変換後の画像情報Ｄａの当該グループ内の基準ピクセル、当該基準ピクセルの左方及び右方に配置されているピクセルそれぞれに個別な個別パラメータと、変換式（例えば、式（１４）と同様の変換式）により算出することもできる。
なお、個別パラメータを共通パラメータに変換する方法はこれに限定されない。
【００４０】
以上のように、本実施の形態では、各グループ内の各ピクセルに共通なＵ信号やＶ信号（共通Ｕ信号及び共通Ｖ信号）を有するＹＵＶ４２０方式の画像情報を、各グループ内の各ピクセルに共通なＵ信号やＶ信号と、各グループに隣接する他のグループ内の各ピクセルに共通なＵ信号やＶ信号を用い、補間式によって、各ピクセルに個別なＵ信号やＶ信号（個別Ｕ信号及び個別Ｖ信号）を有する画像情報に変換している。そして、各ピクセルに個別なＵ信号やＶ信号を有する画像情報に変換した状態で重ね合わせる。さらに、重ね合わせた、各ピクセルに個別なＵ信号やＶ信号を有する画像情報の各ピクセルをグループに分け、各グループ内の各ピクセルに個別なＹ信号やＶ信号を、変換式によって、各グループ内の各ピクセルに共通なＹ信号やＶ信号に変換することによって、各グループ内の各ピクセルに共通なＹ信号やＶ信号を有するＹＵＶ４２０方式の画像情報を作成している。
これにより、各グループ内の各ピクセルに共通な共通パラメータを有する画像情報を、画像情報表示精度を低下させることなく重ね合わせることができる。したがって、情報量の少ない、共通パラメータを有する画像情報を用いることができるため、記憶装置の記憶容量を低減することができ、また、画像情報の伝送負担も軽減することができる。
【００４１】
以上の説明では、第一の画像情報と第二の画像情報を重ね合わせる（合成する）時、第一の画像情報及び第二の画像情報の各グループ内の各ピクセルに共通なＵ信号及びＶ信号（共通Ｕ信号及び共通Ｖ信号）を各ピクセルに個別なＵ信号やＶ信号（個別Ｕ信号及び個別Ｖ信号）に変換した。例えば、図４に示すＹＵＶ４２０方式の画像情報Ａａと図５に示すＹＵＶ４２０方式の画像情報Ｂａを重ね合わせる時、重ね合わせ位置に関係なく、ＹＵＶ４２０方式の画像情報Ａａの各グループ［Ａ０１］〜［Ａ１６］内の各ピクセルに共通のＹ信号及びＶ信号を、図７に示すように、各ピクセルに個別なＹ信号及びＶ信号に変換し、また、ＹＵＶ４２０方式の画像情報Ｂａの各グループ［Ｂ１０１］〜［Ｂ１１６］内の各ピクセルに共通なＹ信号及びＶ信号を、図８に示すように、各ピクセルに個別なＹ信号及びＶ信号に変換した。この方法を用いる場合、重ね合わせ位置に関係なく、常に合成画像が急激に変化するのを防止することができる。一方、各グループ内の各ピクセルのＹ信号及びＶ信号を変換するため、処理負担が大きい。
【００４２】
処理負担を軽減するために、第一の画像情報及び第二の画像情報の一部のグループ内の各ピクセルのＵ信号及びＶ信号のみを変換する方法を用いることができる。
第一の方法は、第一の画像情報と第二の画像情報が重ね合わされる重ね合わせ部（重ね合わせ領域）が位置するピクセルを含むグループ内の各ピクセルに共通なＵ信号及びＶ信号を、各ピクセルに個別なＵ信号及びＶ信号に変換する方法である。
例えば、図４に示すＹＵＶ４２０方式の画像情報Ａａと図５に示すＹＵＶ４２０方式の画像情報Ｂａを図９に示すように重ね合わせる時には、ＹＵＶ４２０方式の画像情報Ａａのピクセル（０４，０４）〜（０４，０８）、（０５，０４）〜（０５，０８）、（０６，０４）〜（０６，０８）、（０７，０４）〜（０７，０８）、（０８，０４）〜（０８，０８）、ＹＵＶ４２０方式の画像情報Ｂａのピクセル（０１，０１）〜（０１，０５）、（０２，０１）〜（０２，０５）、（０３，０１）〜（０３，０５）、（０４，０１）〜（０４，０５）、（０５，０１）〜（０５，０５）が、重ね合わせ部（重ね合わせ領域）が位置するピクセルに対応する。また、画像情報Ａａのグループ［Ａ０６］〜［Ａ０８］、［Ａ１０］〜［Ａ１２］、［Ａ１４］〜［Ａ１６］、画像情報Ｂａのグループ［Ｂ１０１］〜［Ｂ１０３］、［Ｂ１０５］〜［Ｂ１０７］、［Ｂ１０９］〜［Ｂ１１１］が、重ね合わせ部（重ね合わせ領域）が位置するピクセルを含むグループに対応する。
重ね合わせ部が位置するピクセルを含むグループ内の各ピクセルに共通なＵ信号及びＶ信号を各グループ内の各ピクセルに個別なＵ信号及びＶ信号に変換した第一の画像情報Ａｂと第二の画像情報Ｂｂを重ね合わせた画像情報（合成画像情報）をＹＵＶ４２０方式の画像情報Ｄａに変換する場合には、第一の画像情報と第二の画像情報との重ね合わせ部が位置するピクセルを含むグループ内の各ピクセルに個別なＹ信号及びＶ信号を、グループ内の各ピクセルに共通なＵ信号及びＶ信号に変換する方法を用いるのが好ましい。なお、第一の画像情報と第二の画像情報との境界部が位置するピクセルを含むグループ内の各ピクセルに個別なＵ信号及びＶ信号をグループ内の各ピクセルに共通なＵ信号及びＶ信号に変換する方法や、各グループ内の各ピクセル（全ピクセル）に個別なＵ信号及びＶ信号をグループ内の各ピクセルに共通なＵ信号及びＶ信号に変換する方法を用いることもできる。
第一の画像情報と第二の画像情報を重ね合わせた画像情報の、重ね合わせ部が位置するピクセルを含むグループ以外のグループ、あるいは、境界部が位置するピクセルを含むグループ以外のグループ内の各ピクセルに共通なＵ信号及びＶ信号を決定する方法としては、種々の方法を用いることができる。例えば、前述した、各グループ内の各ピクセルに個別なＵ信号及びＶ信号を、各グループ内の各ピクセルに共通なＵ信号及びＶ信号に変換する変換式を用いて変換する方法を用いることができる。あるいは、各ループの基準ピクセルのＵ信号及びＶ信号を、グループ内の各ピクセルに共通なＵ信号及びＶ信号として決定する方法を用いることができる。重ね合わせ部が位置するピクセルを含むグループ以外のグループ、あるいは、境界部が位置するピクセルを含むグループ以外のグループ内のピクセルは、同じ画像情報に係るものであるため、このような方法を用いても、合成画像が急激に変化する虞は少ない。
この方法を用いる場合、第一の画像情報と第二の画像情報の重ね合わせによる影響を受ける可能性があるピクセルに共通なＹ信号及びＶ信号を各ピクセルに個別なＵ信号及びＶ信号に変換した状態で重ね合わせるため、合成画像の急激な変化が抑制され、画像表示精度の低下を低減することができる。
また、第一の画像情報と第二の画像情報の重ね合わせにより影響を受ける可能性があるピクセルのＹ信号及びＶ信号のみを変換するため、Ｙ信号及びＶ信号の変換処理に要する処理負担が軽減される。
【００４３】
第二の方法は、第一の画像情報と第二の画像情報の境界部（境界線）が位置するピクセルを含むグループ内の各ピクセルに共通なＵ信号やＶ信号を個別なＵ信号やＶ信号に変換する方法である。
例えば、図４に示すＹＵＶ４２０方式の画像情報Ａａと図５に示すＹＵＶ４２０方式の画像情報Ｂａを図９に示すように重ね合わせる時には、ＹＵＶ４２０方式の画像情報Ａａのピクセル（０４，０４）〜（０４，０８）、（０５，０４）、（０６，０４）、（０７，０４）、（０８，０４）、ＹＵＶ４２０方式の画像情報Ｂａのピクセル（０１，０１）〜（０１，０５）、（０２，０１）、（０３，０１）、（０４，０１）、（０５，０１）が、第一及び第二の画像情報を重ね合わせた時の境界部（境界線）が位置するピクセルに対応する。また、画像情報Ａａのグループ［Ａ０６］〜［Ａ０８］、［Ａ１０］、［Ａ１４］、第二の画像情報Ｂａのグループ［Ｂ１０１］〜［Ｂ１０３］、［Ｂ１０５］、［Ｂ１０９］が、第一及び第二の画像情報を重ね合わせた時の境界部（境界線）が位置するピクセルを含むグループに対応する。
境界部が位置するピクセルを含むグループ内の各ピクセルに共通なＵ信号及びＶ信号を各グループ内の各ピクセルに個別なＵ信号及びＶ信号に変換した状態で第一の画像情報と第の二画像情報を重ね合わせた画像情報をＹＵＶ４２０方式の画像情報Ｄａに変換する場合には、第一の画像情報と第二の画像情報との境界部が位置するピクセルを含むグループ内の各ピクセルに個別なＹ信号及びＶ信号を、グループ内の各ピクセルに共通なＵ信号及びＶ信号に変換する方法を用いるのが好ましい。なお、第一の画像情報と第二の画像情報との重ね合わせ部が位置するピクセルを含むグループ内の各ピクセルに個別なＵ信号及びＶ信号をグループ内の各ピクセルに共通なＵ信号及びＶ信号に変換する方法や、各グループ内の各ピクセル（全ピクセル）に個別なＵ信号及びＶ信号をグループ内の各ピクセルに共通なＵ信号及びＶ信号に変換する方法を用いることもできる。
第一の画像情報と第二の画像情報を重ね合わせた画像情報の、境界部が位置するピクセルを含むグループ以外のグループ、あるいは、重ね合わせ部が位置するピクセルを含むグループ以外のグループ内の各ピクセルに共通なＵ信号及びＶ信号を決定する方法としては、前述した方法を用いることができる。
この方法を用いる場合、第一の画像情報と第二の画像情報の境界部が位置するピクセルを含むグループ内の各ピクセルのＵ信号及びＶ信号のみを変換すればよいため、処理負担がより軽減される。
また、第一の画像情報と第二の画像情報の境界部において画像が急激に変化する可能性が最も高いため、このような方法を用いることにより、合成画像の急激な変化を抑制することができ、画像表示精度の低下を抑制することができる。
【００４４】
本発明は、実施の形態で説明した構成に限定されず、種々の変更、追加、削除が可能である。
例えば、共通パラメータを有する画像情報としてＹＵＶ４２０方式の画像情報を用いたが、共通パラメータを有する画像情報としては、これ以外の種々の方式の画像情報を用いることができる。
Ｙ信号、Ｕ信号、Ｖ信号を有する画像情報について説明したが、本発明は、これ以外のパラメータを有する画像情報にも適用することができる。共通パラメータは、使用するパラメータに応じて決定される。
各グループの左上のピクセルを基準ピクセルとしたが、基準ピクセルの位置は適宜変更可能である。共通パラメータを個別パラメータに変換する補間式や個別パラメータを共通パラメータに変換する変換式は、基準ピクセルの位置によって変更してもよい。さらに、補間式や変換式としては、種々の補間式や変換式を用いることができる。
また、共通パラメータを個別パラメータに変換する方法や、個別パラメータを共通パラメータに変換する方法としては、実施の形態で説明した方法以外の種々の方法を用いることができる。
また、第一の画像情報と第二の画像情報の２つの画像情報を重ね合わせる場合について説明したが、本発明は、３つ以上の画像情報を重ね合わせる場合にも適用することができる。あるいは、同じ画像情報の異なる箇所で異なる画像情報と重ね合わせることもできる。
また、画像情報の重ね合わせ態様は適宜選択することができる。例えば、画像情報の透明度は０％〜１００％の範囲内で設定することができる。上方に配置される画像情報の透明度を０％以外の値に設定した時には、上方に配置される画像の色と下方に配置される画像の色が混合された色に調整される。
また、画像情報を重ね合わせる方法や画像情報を表示装置に表示する方法は、実施の形態で説明した方法に限定されず種々の方法を用いることができる。
また、画像表示装置の構成は、実施の形態で説明した構成に限定されず、種々変更可能である。
また、画像情報を記憶装置に記憶しておき、重ね合わせる画像情報を記憶装置から読み出したが、重ね合わせる画像情報を入力装置（例えば、撮像装置で撮像した画像情報を入力する入力装置、画像情報を受信する通信装置等）を介して入力することもできる。
【図面の簡単な説明】
【００４５】
【図１】本発明の画像情報表示装置の一実施の形態の概略構成図である。
【図２】画像情報重ね合わせ処理の動作の一実施の形態を説明するフローチャートである。
【図３】ＹＵＶ４４４方式の画像情報Ａの一例を示す図である。
【図４】ＹＵＶ４２０方式の画像情報Ａａの一例を示す図である。
【図５】ＹＵＶ４２０方式の画像情報Ｂａの一例を示す図である。
【図６】図４に示すＹＵＶ４２０方式の画像情報Ａａと図５に示すＹＵＶ４２０方式の画像情報Ｂａを重ね合わせた合成画像情報Ｃａを示す図である。
【図７】図４に示すＹＵＶ４２０方式の画像情報Ａａの共通パラメータを補間により固有パラメータに変換したＹＵＶ４４４方式の画像情報Ａｂを示す図である。
【図８】図５に示すＹＵＶ４２０方式の画像情報Ｂａの共通パラメータを補間により固有パラメータに変換したＹＵＶ４４４方式の画像情報Ｂｂを示す図である。
【図９】図7に示すＹＵＶ４４４方式の画像情報Ａａと図８に示すＹＵＢ４４４方式の画像情報Ｂａを重ね合わせたＹＵＶ４４４方式の合成画像情報Ｄａを示す図である。
【図１０】図９に示すＹＵＶ４４４方式の合成画像情報ＤｂをＹＵＶ４２０方式の画像情報Ｄａに変換した図である。
【符号の説明】
【００４６】
１０  表示制御装置
１１  記憶装置
２０  画像情報処理装置
２０ａ  画像情報管理手段
２０ｂ  共通パラメータ−個別パラメータ変換手段
２０ｃ  画像情報重ね合わせ手段
２０ｄ  個別パラメータ−共有パラメータ変換手段
２１  記憶装置
２２  ＲＯＭ
２２ａ  画像情報データベース
２３  ＲＡＭ
３０  表示装置
【図１】
2007101664.tif 000003
【図２】
2007101664.tif 000004
【図３】
2007101664.tif 000005
【図４】
2007101664.tif 000006
【図５】
2007101664.tif 000007
【図６】
2007101664.tif 000008
【図７】
2007101664.tif 000009
【図８】
2007101664.tif 000010
【図９】
2007101664.tif 000011
【図１０】
2007101664.tif 000012